(57)【特許請求の範囲】
【請求項１】
進化型ＮｏｄｅＢ（ｅＮＢ）において、アップリンク（ＵＬ）伝送のために免許不要帯域内のロングタームエボリューション二次セル（ＬＴＥ−Ｕ  ＳＣｅｌｌ）キャリア上でリソースを供与することを決定することと、
前記ＬＴＥ−Ｕ  ＳＣｅｌｌキャリア上でのパケットデータ共有チャネル上の前記ＵＬ伝送のためのスケジューリンググラントを伝送することと、
前記ＬＴＥ−Ｕ  ＳＣｅｌｌキャリア上で送信可（ＣＴＳ）メッセージまたは送信要求（ＲＴＳ）メッセージのうちの少なくとも１つを前記ｅＮＢからブロードキャストすることであって、前記ＣＴＳメッセージまたは前記ＲＴＳメッセージのうちの前記少なくとも１つは、持続時間フィールドを含み、前記持続時間フィールドは、特定の数のサブフレームの間に前記ＵＬ伝送のために前記ＬＴＥ−Ｕ  ＳＣｅｌｌキャリアをクリアリングするために、前記ＬＴＥ−Ｕ  ＳＣｅｌｌキャリア上での前記パケットデータ共有チャネル上の前記スケジュールされたＵＬ伝送のための特定の数のサブフレームを示す、ことと、
前記ＬＴＥ−Ｕ  ＳＣｅｌｌキャリア上で前記ＵＬ伝送を受信することと
を含む、方法。
【請求項２】
前記スケジューリンググラントは、ＵＥによる物理アップリンク共有チャネル（ＰＵＳＣＨ）伝送を示し、前記方法は、
前記ＵＥから、前記ＣＴＳまたはＲＴＳメッセージのうちの前記少なくとも１つの前記伝送に先立って、アップリンク（ＵＬ）伝送要求を受信することと、
前記ＵＥから、前記ＵＬ伝送中にＰＵＳＣＨサブフレームを受信することと
をさらに含む、請求項１に記載の方法。
【請求項３】
基地局であって、前記基地局は、１つ以上のプロセッサを備え、
前記１つ以上のプロセッサは、
アップリンク（ＵＬ）伝送のために免許不要帯域内のロングタームエボリューション二次セル（ＬＴＥ−Ｕ  ＳＣｅｌｌ）キャリア上でリソースを供与することを決定することと、
前記ＬＴＥ−Ｕ  ＳＣｅｌｌキャリア上でのパケットデータ共有チャネル上の前記ＵＬ伝送のためのスケジューリンググラントを伝送することと、
前記ＬＴＥ−Ｕ  ＳＣｅｌｌキャリア上で送信可（ＣＴＳ）メッセージまたは送信要求（ＲＴＳ）メッセージのうちの少なくとも１つをブロードキャストすることであって、前記ＣＴＳメッセージまたは前記ＲＴＳメッセージのうちの前記少なくとも１つは、持続時間フィールドを含み、前記持続時間フィールドは、特定の数のサブフレームの間に前記ＵＬ伝送のために前記ＬＴＥ−Ｕ  ＳＣｅｌｌキャリアをクリアリングするために、前記ＬＴＥ−Ｕ  ＳＣｅｌｌキャリア上での前記パケットデータ共有チャネル上の前記スケジュールされたＵＬ伝送のための特定の数のサブフレームを示す、ことと、
前記ＬＴＥ−Ｕ  ＳＣｅｌｌキャリア上で前記ＵＬ伝送を受信することと
を行うように構成されている、基地局。
【請求項４】
前記スケジューリンググラントは、ＵＥによる物理アップリンク共有チャネル（ＰＵＳＣＨ）伝送を示し、前記１つ以上のプロセッサは、
前記ＵＥから、前記ＣＴＳまたはＲＴＳメッセージのうちの前記少なくとも１つの前記伝送に先立って、アップリンク（ＵＬ）伝送要求を受信することと、
前記ＵＥから、前記ＵＬ伝送中にＰＵＳＣＨサブフレームを受信することと
を行うようにさらに構成されている、請求項３に記載の基地局。
【発明の詳細な説明】
【技術分野】
【０００１】
（優先権の主張）
本願は、米国特許出願第１４／４８１，８０８号（２０１４年９月９日出願）に対する優先権を主張し、上記出願の全内容は、参照により本明細書に援用される。
【０００２】
（技術分野）
本開示は、通信システムにおけるデータ伝送に関し、より具体的には、免許不要帯域内のＬＴＥ（ＬＴＥ−Ｕ）のための媒体アクセス制御（ＭＡＣ）に関する。
【背景技術】
【０００３】
第３世代パートナーシッププロジェクト（３ＧＰＰ）ロングタームエボリューション（ＬＴＥ）システム等の無線通信システムでは、ＭＡＣプロトコル層は、伝送リソースが利用可能であるかどうかを決定する。伝送機会を決定するＭＡＣプロトコルのこの機構は、スケジューリングと称される。ダウンリンク（ＤＬ）伝送に対して、進化型Ｎｏｄｅ  Ｂ（ｅＮＢ）内のＭＡＣ層スケジューラは、１つ以上のＤＬパケットがユーザ機器（ＵＥ）に伝送されるであろうときを決定し得る。ｅＮＢは、伝送のためのＤＬチャネルリソースを示すために、物理ダウンリンク制御チャネル（ＰＤＣＣＨ）上でＤＬスケジューリンググラントをＵＥに伝送し得る。アップリンク（ＵＬ）伝送に対して、ＵＥは、ＵＬ伝送のためのリソースを要求し得る。ｅＮＢのＭＡＣ層内のＵＬスケジューラは、どのＵＥが任意の所与の伝送時間間隔（ＴＴＩ）におけるＵＬチャネルリソースへのアクセスを有し得るかを決定し得る。ｅＮＢは、伝送のためのＵＬチャネルリソースを示すために、ＰＤＣＣＨ上でＵＬスケジューリンググラントをＵＥに伝送し得る。
【０００４】
ＬＴＥシステム等の無線通信システムはまた、システム内のＵＥのバッテリ電力消費を削減するために、不連続受信（ＤＲＸ）プロシージャを使用し得る。例えば、ｅＮＢは、ＤＲＸ構成をＵＥに伝送することによって、ＤＲＸ構成モードで動作するようにＵＥを構成し得る。ＤＲＸ構成は、ＵＥがその受信機を起動し、ＰＤＣＣＨ上のＤＬまたはＵＬグラントの存在に対してサブフレームを監視し得るときを示すための１つ以上のパラメータを含み得る。ある場合、ＵＥがその受信機を起動し、ＰＤＣＣＨを監視し得る時間は、ＤＲＸアクティブ時間と称される。ある場合、ＤＬまたはＵＬグラントは、ＤＬまたはＵＬ割り当てと称される。他のサブフレーム中、ＵＥは、電力消費を削減するために、その受信機のスイッチを切り得る。ある場合、これらのサブフレームは、ＤＲＸ非アクティブ時間と称される。ＤＲＸ構成パラメータは、１つ以上のタイマを含み得る。ＤＲＸアクティブ時間およびＤＲＸ非アクティブ時間に対するＤＲＸパターンおよびデューティサイクルは、データ活動および１つ以上のタイマに基づいて変動し得る。例えば、ＤＲＸ構成パラメータは、ＤＲＸ非活動タイマを含み得、ＤＲＸ非活動タイマは、初期値に設定され、次いで、ＵＬまたはＤＬのいずれか一方のためのスケジューリンググラントが受信される度に再起動され得る。ＤＲＸ非活動タイマが作動しているとき、例えば、ＤＲＸアクティブ時間中に、ＵＥは、全てのＤＬサブフレームを能動的に監視し得る。ＤＲＸ非活動タイマが満了したとき（それは、定義された期間にわたって、いかなる新しいＵＬまたはＤＬ割り当てもなかったことを示し得る）、ＵＥの監視パターンが変化し、ＵＥは、削減された数のサブフレームのみを監視し、そのバッテリ消費を削減するために、残りのダウンリンクサブフレームに対してその受信機の一部または全てをオフにし得る。ｅＮＢは、ＤＲＸ構成パラメータを伝送するために無線リソース制御（ＲＲＣ）メッセージを使用し得る。
【発明の概要】
【課題を解決するための手段】
【０００５】
本開示は、免許不要帯域内のＬＴＥ（ＬＴＥ−Ｕ）における媒体アクセス制御（ＭＡＣ）を対象とする。オペレータは、スペクトル不足問題に対処するためのいくつかの方法を検討してきた。免許不要スペクトルを効果的に使用することが、この問題の解決策であり得る。例えば、ＬＴＥ技術の変形例が、８０１．１１デバイス等の他の無線デバイスと共存するために免許不要スペクトルで使用され得る。この技術は、免許不要帯域内のＬＴＥ（ＬＴＥ−Ｕ）またはＬＴＥにおける免許支援アクセス（ＬＡＡ−ＬＴＥ）と称され得る。
【０００６】
ＬＴＥ−Ｕでは、ｅＮＢおよびＵＥは、ＬＴＥ−Ｕキャリア上でデータを伝送および受信するためにキャリア集約（ＣＡ）を使用し得る。ＣＡでは、２つ以上の構成要素キャリア（ＣＣ）が、同じＵＥにデータを送信し、同じＵＥからデータを送信するために同時に使用され得る。ＵＥがＣＡにおいて構成されているとき、ＵＥは、ｅＮＢとの１つのＲＲＣ接続を有し得る。ｅＮＢは、ＵＥのための一次セル（ＰＣｅｌｌ）キャリアおよび１つ以上の二次セル（ＳＣｅｌｌ）キャリアを構成し得る。ある場合、ｅＮＢは、スケジューリンググラントをＵＥに伝送するために、クロスキャリアスケジューリングを使用し得る。例えば、ｅＮＢは、ＳＣｅｌｌキャリア上でのＵＬ伝送またはＤＬ伝送をスケジュールに入れるために、ＰＣｅｌｌキャリアのＰＤＣＣＨ上でＵＬグラントもしくはＤＬグラントを送信し得る。ＳＣｅｌｌキャリアは、ＵＬグラントまたはＤＬグラント内のキャリアインジケータフィールド（ＣＩＦ）によって示され得る。ＬＴＥ−Ｕでは、ｅＮＢは、ＵＥのために免許スペクトル内でＰＣｅｌｌキャリアを構成し得る。例えば、ＰＣｅｌｌキャリアは、オペレータによって所有されるＬＴＥスペクトルを使用するＬＴＥキャリアであり得る。ｅＮＢは、ＵＥのために免許不要スペクトル内でＳＣｅｌｌキャリアを構成し得る。例えば、ＳＣｅｌｌキャリアは、免許不要スペクトルを使用するＬＴＥ−Ｕキャリアであり得る。
例えば、本願は以下の項目を提供する。
（項目１）
ＬＴＥ−Ｕ  ＳＣｅｌｌキャリア上で送信可（ＣＴＳ）メッセージまたは送信要求（ＲＴＳ）メッセージのうちの少なくとも１つを伝送することであって、前記ＣＴＳメッセージまたは前記ＲＴＳメッセージのうちの前記少なくとも１つは、持続時間フィールドを含み、前記持続時間フィールドは、免許不要帯域内のＬＴＥ（ＬＴＥ−Ｕ）二次セル（ＳＣｅｌｌ）キャリア上でのパケットデータ共有チャネル上の伝送の伝送時間を示す、ことと、
前記ＬＴＥ−Ｕ  ＳＣｅｌｌキャリア上での前記パケットデータ共有チャネル上の前記伝送のためのスケジューリンググラントを伝送することと
を含む、方法。
（項目２）
前記スケジューリンググラントは、物理ダウンリンク共有チャネル（ＰＤＳＣＨ）伝送を示し、前記方法は、前記伝送時間中にＰＤＳＣＨサブフレームを伝送することをさらに含む、項目１に記載の方法。
（項目３）
前記スケジューリンググラントは、ＵＥによる物理アップリンク共有チャネル（ＰＵＳＣＨ）伝送を示し、前記方法は、
前記ＵＥから、前記ＣＴＳまたはＲＴＳメッセージのうちの前記少なくとも１つの前記伝送に先立って、アップリンク（ＵＬ）伝送要求を受信することと、
前記ＵＥから、前記伝送時間中にＰＵＳＣＨサブフレームを受信することと
をさらに含む、項目１に記載の方法。
（項目４）
ｅＮＢから、１つ以上のサブフレーム中のＬＴＥ−Ｕ  ＳＣｅｌｌキャリア上のＰＵＳＣＨ伝送の許可を示すＵＬグラントを受信することと、
前記ＬＴＥ−Ｕ  ＳＣｅｌｌキャリアが前記１つ以上のサブフレーム中の伝送のために利用可能であるかどうかを決定することと、
前記ＬＴＥ−Ｕ  ＳＣｅｌｌキャリアが伝送のために利用可能である場合、前記ＬＴＥ−Ｕ  ＳＣｅｌｌキャリア上でＰＵＳＣＨサブフレームを伝送することと、
前記ＬＴＥ−Ｕ  ＳＣｅｌｌキャリアが伝送のために利用可能でない場合、前記ＬＴＥ−Ｕ  ＳＣｅｌｌキャリア上で伝送することを控えることと
を含む、方法。
（項目５）
前記ＵＬグラントは、物理ダウンリンク制御チャネル（ＰＤＣＣＨ）上で受信される、項目４に記載の方法。
（項目６）
前記ＵＬグラントは、ＲＲＣメッセージ内で受信される半静的ＵＬグラントである、項目４に記載の方法。
（項目７）
前記ＵＬグラントは、ロングタームエボリューション（ＬＴＥ）一次セル（ＰＣｅｌｌ）キャリア上で受信される、項目４に記載の方法。
（項目８）
前記ＬＴＥ−Ｕ  ＳＣｅｌｌキャリア上でＣＴＳメッセージまたはＲＴＳメッセージのうちの少なくとも１つを伝送することであって、前記ＣＴＳメッセージまたは前記ＲＴＳメッセージのうちの前記少なくとも１つは、持続時間フィールドを含み、前記持続時間フィールドは、伝送時間を示す、ことと、
前記伝送時間中にＰＵＳＣＨサブフレームを伝送することと
をさらに含む、項目５に記載の方法。
（項目９）
前記ＬＴＥ−Ｕ  ＳＣｅｌｌキャリアが伝送のために利用可能であるかどうかを決定することは、前記ＬＴＥ−Ｕ  ＳＣｅｌｌキャリア上の信号レベルを測定することを含む、項目４に記載の方法。
（項目１０）
閾値より低い信号レベルを測定すると、前記ＬＴＥ−Ｕ  ＳＣｅｌｌキャリアが伝送のために利用可能であることを決定することをさらに含む、項目９に記載の方法。
（項目１１）
閾値より高い信号レベルを測定すると、前記ＬＴＥ−Ｕ  ＳＣｅｌｌキャリアが伝送のために利用可能ではないことを決定することをさらに含む、項目９に記載の方法。
（項目１２）
ＬＴＥ伝送時間間隔（ＴＴＩ）バンドリングが、２つ以上のサブフレームを伝送するときに使用される、項目４に記載の方法。
（項目１３）
進化型ＮｏｄｅＢ（ｅＮＢ）から、第１の不連続受信（ＤＲＸ）構成を受信することと、
前記第１のＤＲＸ構成で動作している間に、前記ｅＮＢから、第２のＤＲＸ構成への切り替えを示すＤＲＸ構成切り替え指示を受信することであって、前記ＤＲＸ構成切り替え指示は、免許不要帯域内のＬＴＥ（ＬＴＥ−Ｕ）二次セル（ＳＣｅｌｌ）キャリアの負荷変化後に受信される、ことと、
前記ＤＲＸ構成切り替え指示に応答して、前記第１のＤＲＸ構成から前記第２のＤＲＸ構成に切り替えることと
を含む、方法。
（項目１４）
前記ＤＲＸ構成切り替え指示は、媒体アクセス制御（ＭＡＣ）制御要素（ＣＥ）内で受信される、項目１３に記載の方法。
（項目１５）
前記ＬＴＥ−Ｕ  ＳＣｅｌｌキャリアの前記負荷変化は、前記ＬＴＥ−Ｕ  ＳＣｅｌｌキャリア上の衝突率、前記ＬＴＥ−Ｕ  ＳＣｅｌｌキャリア上で検出される平均エネルギーレベル、前記ＬＴＥ−Ｕ  ＳＣｅｌｌキャリアを経由して達成される平均データレート、または媒体占有係数のうちの少なくとも１つの変化に基づいて検出される、項目１３に記載の方法。
（項目１６）
前記ＤＲＸ構成切り替え指示は、無線リソース制御（ＲＲＣ）接続再構成メッセージ内で受信される、項目１３に記載の方法。
（項目１７）
前記ＲＲＣ接続再構成メッセージは、前記第２のＤＲＸ構成に関連付けられているパラメータを含む、項目１６に記載の方法。
（項目１８）
前記第１および前記第２のＤＲＸ構成は、ユーザ機器（ＵＥ）において事前構成される、項目１３に記載の方法。
（項目１９）
前記第１および第２のＤＲＸ構成は、ＲＲＣ接続再構成メッセージを使用して、前記ＵＥにおいて事前構成される、項目１８に記載の方法。
（項目２０）
ｅＮＢから、ＵＥに第１のＤＲＸ構成モードで動作させる第１のＤＲＸ構成を伝送することと、
ＬＴＥ−Ｕ  ＳＣｅｌｌキャリアの負荷変化を決定することと、
前記決定することに基づいて、前記ｅＮＢから、ＤＲＸ構成切り替え指示を伝送することと
を含み、前記ＤＲＸ構成切り替え指示は、前記ＵＥに第２のＤＲＸ構成モードで動作させる第２のＤＲＸ構成への切り替えを示す
方法。
（項目２１）
基地局であって、前記基地局は、１つ以上のプロセッサを備え、
前記１つ以上のプロセッサは、
ＬＴＥ−Ｕ  ＳＣｅｌｌキャリア上で送信可（ＣＴＳ）メッセージまたは送信要求（ＲＴＳ）メッセージのうちの少なくとも１つを伝送することであって、前記ＣＴＳメッセージまたは前記ＲＴＳメッセージのうちの前記少なくとも１つは、持続時間フィールドを含み、前記持続時間フィールドは、前記ＬＴＥ−Ｕ  ＳＣｅｌｌキャリア上でのパケットデータ共有チャネル上の伝送の伝送時間を示す、ことと、
前記ＬＴＥ−Ｕ  ＳＣｅｌｌキャリア上での前記パケットデータ共有チャネル上の前記伝送のためのスケジューリンググラントを伝送することと
を行うように構成されている、基地局。
（項目２２）
前記スケジューリンググラントは、物理ダウンリンク共有チャネル（ＰＤＳＣＨ）伝送を示し、前記１つ以上のプロセッサは、前記伝送時間中にＰＤＳＣＨサブフレームを伝送するようにさらに構成されている、項目２１に記載の基地局。
（項目２３）
前記スケジューリンググラントは、ＵＥによる物理アップリンク共有チャネル（ＰＵＳＣＨ）伝送を示し、前記１つ以上のプロセッサは、
前記ＵＥから、前記ＣＴＳまたはＲＴＳメッセージのうちの前記少なくとも１つの前記伝送に先立って、アップリンク（ＵＬ）伝送要求を受信することと、
前記ＵＥから、前記伝送時間中にＰＵＳＣＨサブフレームを受信することと
を行うようにさらに構成されている、項目２１に記載の基地局。
（項目２４）
ユーザ機器（ＵＥ）であって、前記ＵＥは、１つ以上のプロセッサプロセッサを備え、
前記１つ以上のプロセッサプロセッサは、
ｅＮＢから、１つ以上のサブフレーム中のＬＴＥ−Ｕ  ＳＣｅｌｌキャリア上のＰＵＳＣＨ伝送の許可を示すＵＬグラントを受信することと、
前記ＬＴＥ−Ｕ  ＳＣｅｌｌキャリアが前記１つ以上のサブフレーム中の伝送のために利用可能であるかどうかを決定することと、
前記ＬＴＥ−Ｕ  ＳＣｅｌｌキャリアが伝送のために利用可能である場合、前記ＬＴＥ−Ｕ  ＳＣｅｌｌキャリア上でＰＵＳＣＨサブフレームを伝送することと、
前記ＬＴＥ−Ｕ  ＳＣｅｌｌキャリアが伝送のために利用可能でない場合、前記ＬＴＥ−Ｕ  ＳＣｅｌｌキャリア上で伝送することを控えることと
を行うように構成されている、ＵＥ。
（項目２５）
前記ＵＬグラントは、物理ダウンリンク制御チャネル（ＰＤＣＣＨ）上で受信される、項目２４に記載のＵＥ。
（項目２６）
前記ＵＬグラントは、ＲＲＣメッセージ内で受信される半静的ＵＬグラントである、項目２４に記載のＵＥ。
（項目２７）
前記ＵＬグラントは、ロングタームエボリューション（ＬＴＥ）一次セル（ＰＣｅｌｌ）キャリア上で受信される、項目２４に記載のＵＥ。
（項目２８）
前記１つ以上のプロセッサは、
前記ＬＴＥ−Ｕ  ＳＣｅｌｌキャリア上でＣＴＳメッセージまたはＲＴＳメッセージのうちの少なくとも１つを伝送することであって、前記ＣＴＳメッセージまたは前記ＲＴＳメッセージのうちの前記少なくとも１つは、持続時間フィールドを含み、前記持続時間フィールドは、伝送時間を示す、ことと、
前記伝送時間中にＰＵＳＣＨサブフレームを伝送することと
を行うようにさらに構成されている、項目２５に記載のＵＥ。
（項目２９）
前記ＬＴＥ−Ｕ  ＳＣｅｌｌキャリアが伝送のために利用可能であるかどうかを決定することは、前記ＬＴＥ−Ｕ  ＳＣｅｌｌキャリア上の信号レベルを測定することを含む、項目２４に記載のＵＥ。
（項目３０）
前記１つ以上のプロセッサは、閾値より低い信号レベルを測定すると、前記ＬＴＥ−Ｕ
ＳＣｅｌｌキャリアが伝送のために利用可能であることを決定するようにさらに構成されている、項目２９に記載のＵＥ。
（項目３１）
前記１つ以上のプロセッサは、閾値より高い信号レベルを測定すると、前記ＬＴＥ−Ｕ
ＳＣｅｌｌキャリアが伝送のために利用可能ではないことを決定するようにさらに構成されている、項目２９に記載のＵＥ。
（項目３２）
ＬＴＥ伝送時間間隔（ＴＴＩ）バンドリングが、２つ以上のサブフレームを伝送するときに使用される、項目２４に記載のＵＥ。
（項目３３）
ユーザ機器（ＵＥ）であって、前記ＵＥは、１つ以上のプロセッサを備え、
前記１つ以上のプロセッサは、
進化型ＮｏｄｅＢ（ｅＮＢ）から、第１の不連続受信（ＤＲＸ）構成を受信することと、
前記第１のＤＲＸ構成で動作している間に、前記ｅＮＢから、第２のＤＲＸ構成への切り替えを示すＤＲＸ構成切り替え指示を受信することであって、前記ＤＲＸ構成切り替え指示は、免許不要帯域内のＬＴＥ（ＬＴＥ−Ｕ）二次セル（ＳＣｅｌｌ）キャリアの負荷変化後に受信される、ことと、
前記ＤＲＸ構成切り替え指示に応答して、前記第１のＤＲＸ構成から前記第２のＤＲＸ構成に切り替えることと
を行うように構成されている、ＵＥ。
（項目３４）
前記ＤＲＸ構成切り替え指示は、媒体アクセス制御（ＭＡＣ）制御要素（ＣＥ）内で受信される、項目３３に記載のＵＥ。
（項目３５）
前記ＬＴＥ−Ｕ  ＳＣｅｌｌキャリアの前記負荷変化は、前記ＬＴＥ−Ｕ  ＳＣｅｌｌキャリア上の衝突率、前記ＬＴＥ−Ｕ  ＳＣｅｌｌキャリア上で検出される平均エネルギーレベル、前記ＬＴＥ−Ｕ  ＳＣｅｌｌキャリアを経由して達成される平均データレート、または媒体占有係数のうちの少なくとも１つの変化に基づいて検出される、項目３３に記載のＵＥ。
（項目３６）
前記ＤＲＸ構成切り替え指示は、無線リソース制御（ＲＲＣ）接続再構成メッセージ内で受信される、項目３３に記載のＵＥ。
（項目３７）
前記ＲＲＣ接続再構成メッセージは、前記第２のＤＲＸ構成に関連付けられているパラメータを含む、項目３６に記載のＵＥ。
（項目３８）
前記第１および前記第２のＤＲＸ構成は、ユーザ機器（ＵＥ）において事前構成される、項目３３に記載のＵＥ。
（項目３９）
前記第１および第２のＤＲＸ構成は、ＲＲＣ接続再構成メッセージを使用して、前記ＵＥにおいて事前構成される、項目３８に記載のＵＥ。
（項目４０）
基地局であって、前記基地局は、１つ以上のプロセッサを備え、
前記１つ以上のプロセッサは、
前記基地局から、ＵＥに第１のＤＲＸ構成モードで動作させる第１のＤＲＸ構成を伝送することと、
ＬＴＥ−Ｕ  ＳＣｅｌｌキャリアの負荷変化を決定することと、
前記決定することに基づいて、前記基地局から、ＤＲＸ構成切り替え指示を伝送することと
を行うように構成され、
前記ＤＲＸ構成切り替え指示は、前記ＵＥに第２のＤＲＸ構成モードで動作させる第２のＤＲＸ構成への切り替えを示す、基地局。
【図面の簡単な説明】
【０００７】
【図１】図１は、ＬＴＥ−Ｕにおける動作を図示する例示的無線通信システム１００である。
【図２】図２は、ＭＡＣ信号伝達を使用するＤＲＸ構成切り替えを図示する例示的データフロー図である。
【図３】図３は、ＲＲＣ信号伝達を使用するＤＲＸ構成切り替えを図示する例示的データフロー図である。
【図４】図４は、ＤＲＸ構成切り替えのための方法を図示するフローチャートである。
【図５】図５は、ＬＴＥ−Ｕのためのリッスンビフォートーク（ＬＢＴ）方式を図示する例示的フローチャートである。
【図６】図６は、ｅＮＢによる例示的クロスキャリアスケジューリング方法を図示する概略図である。
【図７】図７は、ＵＥのための例示的クロススケジューリング方法を図示する概略図である。
【図８】図８は、ＬＴＥ−Ｕ二次セル（ＳＣｅｌｌ）キャリア上の衝突に対処するための例示的方法を図示する概略図である。
【図９】図９は、ＤＬ伝送のためのｅＮＢによるチャネルクリアリング方法を図示する例示的データフロー図である。
【図１０】図１０は、ｅＮＢによるＤＬ伝送上のチャネルを空いた状態にするためのタイミング関係を図示する例示的データフロー図である。
【図１１】図１１は、ＵＬ伝送のためのｅＮＢによるチャネルクリアリング方法を図示する例示的データフロー図である。
【図１２】図１２は、ｅＮＢによるＵＬ伝送におけるチャネルを空いた状態にするためのタイミング関係を図示する例示的データフロー図である。
【図１３】図１３は、ｅＮＢによるチャネルクリアリング方法を図示するフローチャートである。
【図１４】図１４は、ＵＬ伝送のためのＵＥによるチャネル査定方法を図示する例示的データフロー図である。
【図１５】図１５は、ＵＬ伝送のためのＵＥによるチャネルクリアリング方法を図示する例示的データフロー図である。
【図１６】図１６は、ＵＬ伝送のためのＵＥおよびｅＮＢの両方によるチャネルクリアリング方法を図示する例示的データフロー図である。
【図１７】図１７は、半静的グラントに基づく、ＵＬ伝送のためのＵＥによるチャネル査定方法を図示する例示的データフロー図である。
【図１８】図１８は、ＵＥによるチャネル査定方法を図示するフローチャートである。
【図１９】図１９は、例示的ユーザ機器デバイスを図示する概略ブロック図である。
【図２０】図２０は、例示的基地局を図示する概略ブロック図である。
【発明を実施するための形態】
【０００８】
図１は、ＬＴＥ−Ｕにおける動作を図示する例示的無線通信システム１００である。例えば、無線通信システムでは、ＵＥは、進化型ＮｏｄｅＢ（ｅＮＢ）から第１の不連続受信（ＤＲＸ）構成を受信し得る。ＵＥが第１のＤＲＸ構成で動作している間、ＵＥは、ｅＮＢから、第２のＤＲＸ構成への切り替えを示すＤＲＸ構成切り替え指示を受信し得る。いくつかの実装では、ＤＲＸ構成切り替え指示は、２つの既存の構成の間の切り替えを示し得る。代替として、または組み合わせて、ＤＲＸ構成切り替え指示は、新しい構成との既存の構成の置換を示し得る。ＤＲＸ構成切り替え指示は、ＬＴＥ−Ｕ  ＳＣｅｌｌキャリアの負荷変化後に受信され得る。いくつかの実装では、ＬＴＥ−Ｕ  ＳＣｅｌｌキャリアの負荷変化は、ＬＴＥ−Ｕ  ＳＣｅｌｌキャリア上の衝突率、ＬＴＥ−Ｕ  ＳＣｅｌｌキャリア上で検出される平均エネルギーレベル、またはＬＴＥ−Ｕ  ＳＣｅｌｌキャリアを経由して達成される平均データレートのうちの少なくとも１つの変化に基づいて検出され得る。ＤＲＸ構成切り替え指示に応答して、ＵＥは、第１のＤＲＸ構成から第２のＤＲＸ構成に切り替わり得る。免許不要媒体の負荷に関連付けられる他の測定基準も、使用され得る。例えば、その間に媒体が占有されると決定される時間の現在または平均の割合を示す、「媒体占有係数」が導出され得る。１つの実装では、媒体が占有されているかどうかに関する決定は、閾値に対する免許不要帯域またはキャリアの少なくとも一部内の受信された信号もしくは干渉レベルの比較に基づき得る。この場合、受信された信号レベルが閾値を超える場合、媒体は、「ビジー」と分類され得、そうでなければ、媒体は、「ビジーではない」と分類される。次いで、媒体占有係数は、観察期間中のビジー時間の割合に基づいて計算され得る。ビジーまたは非ビジーとしての媒体の２項分類に純粋に依拠しないものを含む、媒体占有係数を決定する他の方法も可能であることが理解されるであろう。そのような方法では、免許不要帯域またはキャリア内の受信された信号もしくは干渉レベルの分布または時間履歴が評価され得、媒体占有係数がそこから導出され得る。
【０００９】
いくつかの実装では、ＤＲＸ構成切り替え指示は、媒体アクセス制御（ＭＡＣ）制御要素（ＣＥ）において受信され得る。いくつかの実装では、ＤＲＸ構成切り替え指示は、無線リソース制御（ＲＲＣ）接続再構成メッセージに含まれ得る。いくつかの実装では、ＲＲＣ接続再構成メッセージは、第２のＤＲＸ構成に関連付けられているパラメータを含み得る。いくつかの実装では、第１および第２のＤＲＸ構成は、ＵＥにおいて事前構成される。いくつかの実装では、第１および第２のＤＲＸ構成は、ＲＲＣ接続再構成メッセージを使用して、ＵＥにおいて事前構成される。
【００１０】
いくつかの実装では、ｅＮＢは、ＵＥに第１のＤＲＸ構成モードで動作させる第１のＤＲＸ構成を伝送し得る。ｅＮＢは、ＬＴＥ−Ｕ  ＳＣｅｌｌキャリアの負荷変化を決定し得る。決定することに基づいて、ｅＮＢは、ＵＥに第２のＤＲＸ構成モードで動作させる第２のＤＲＸ構成への切り替えを示すＤＲＸ構成切り替え指示を伝送し得る。
【００１１】
いくつかの実装では、ｅＮＢは、ＬＴＥ−Ｕ  ＳＣｅｌｌキャリア上で送信可（ＣＴＳ）メッセージまたは送信要求（ＲＴＳ）メッセージのうちの少なくとも１つを伝送し得る。ＣＴＳメッセージまたはＲＴＳメッセージのうちの少なくとも１つは、持続時間フィールドを含み得る。持続時間フィールドは、ＬＴＥ−Ｕ  ＳＣｅｌｌキャリア上でのパケットデータ共有チャネル上の伝送の伝送時間を示し得る。ｅＮＢは、伝送時間中のＬＴＥ−Ｕ  ＳＣｅｌｌキャリア上でのパケットデータ共有チャネル上の伝送のためのスケジューリンググラントを伝送し得る。いくつかの実装では、スケジューリンググラントは、物理ダウンリンク共有チャネル（ＰＤＳＣＨ）伝送を示し得、ｅＮＢは、伝送時間中にＰＤＳＣＨサブフレームを伝送し得る。いくつかの実装では、スケジューリンググラントは、ＵＥによる物理アップリンク共有チャネル（ＰＵＳＣＨ）伝送を示し得、ｅＮＢは、ＵＥからアップリンク（ＵＬ）伝送要求を受信し、ＵＥから伝送時間中にＰＵＳＣＨサブフレームを受信し得る。
【００１２】
いくつかの実装では、ＵＥは、ｅＮＢから、１つ以上のサブフレーム中のＬＴＥ−Ｕ  ＳＣｅｌｌキャリア上でのＰＵＳＣＨ伝送の許可を示すＵＬグラントを受信し得る。いくつかの実装では、ＵＬグラントは、ＰＤＣＣＨ上で受信され得る。いくつかの実装では、ＵＬグラントは、ロングタームエボリューション（ＬＴＥ）一次セル（ＰＣｅｌｌ）キャリア上で受信される。いくつかの実装では、ＵＬグラントは、ＲＲＣメッセージを使用して構成される半静的ＵＬグラントである。いくつかの実装では、ＵＬグラントは、動的ＵＬグラントである。いくつかの実装では、ＵＥは、ＬＴＥ−Ｕ  ＳＣｅｌｌキャリア上でＣＴＳメッセージまたはＲＴＳメッセージのうちの少なくとも１つを伝送し得る。ＣＴＳメッセージまたはＲＴＳメッセージのうちの少なくとも１つは、持続時間フィールドを含み得る。持続時間フィールドは、伝送時間を示し得る。ＵＥは、ＬＴＥ−Ｕ  ＳＣｅｌｌキャリアが１つ以上のサブフレーム中の伝送のために利用可能であるかどうかを決定し得る。いくつかの実装では、ＵＥは、ＬＴＥ−Ｕ  ＳＣｅｌｌキャリア上の信号レベルの測定に基づいて、ＬＴＥ−Ｕ  ＳＣｅｌｌキャリアが伝送のために利用可能であるかどうかを決定する。いくつかの実装では、ＵＥは、閾値より低い信号レベルを測定することに基づいて、ＬＴＥ−Ｕ  ＳＣｅｌｌキャリアが伝送のために利用可能であるかどうかを決定する。いくつかの実装では、ＵＥは、閾値より高い信号レベルを測定することに基づいて、ＬＴＥ−Ｕ  ＳＣｅｌｌキャリアが伝送のために利用可能ではないかどうかを決定する。ＬＴＥ−Ｕ  ＳＣｅｌｌキャリアが伝送のために利用可能である場合、ＵＥは、ＬＴＥ−Ｕ  ＳＣｅｌｌキャリア上でＰＵＳＣＨサブフレームを伝送し得る。ＬＴＥ−Ｕ  ＳＣｅｌｌキャリアが伝送のために利用可能ではない場合、ＵＥは、ＬＴＥ−Ｕ  ＳＣｅｌｌキャリア上で伝送することを控え得る。いくつかの実装では、ＬＴＥ伝送時間間隔（ＴＴＩ）バンドリングは、ＳＣｅｌｌキャリアを占有する時間を短縮するために、２つ以上のサブフレームを連続的に伝送するときに使用される。
【００１３】
本明細書に説明される方法およびシステムに従って、ＬＴＥ−ＵにおいてＭＡＣを動作させることは、１つ以上の利点を提供し得る。例えば、ｅＮＢは、ＬＴＥ−Ｕキャリアの負荷レベルに基づいて、ＵＥの現在のＤＲＸ構成を調整し得る。したがって、ＵＥは、データサービスの待ち時間要件を満たしながら、そのバッテリ消費を削減し得る。加えて、伝送するかどうかを決定する前に、ＬＴＥ−Ｕキャリア上の信号レベルを測定することによって、ＵＥは、スペクトルがビジーであるときに衝突およびデータ損失を回避しながら、スペクトルが空いているときに免許不要スペクトルを効果的に使用し得る。さらに、ＣＴＳまたはＲＴＳを送信することは、ＵＥもしくはｅＮＢがＬＴＥ−Ｕキャリア内の無線リソースを予約し、したがって、データ伝送の成功率を増加させることを可能にし得る。
【００１４】
高レベルで、例示的無線通信システム１００は、ＬＴＥ−Ｕ  ＵＥ１０２と、８０２．１１デバイス１０６と、無線通信ネットワーク１１０とを含み、無線通信ネットワーク１１０は、ＬＴＥ−Ｕ  ＵＥ１０２と通信可能に連結されるｅＮＢ１０４を含む。図示される実施例では、ｅＮＢ１０４は、ＣＡにおいてＬＴＥ−Ｕ  ＵＥ１０２を構成する。ＬＴＥ−Ｕ  ＵＥ１０２は、ＬＴＥ  ＰＣｅｌｌキャリア１２０上でｅＮＢ１０４に伝送し、またはそこから受信し得る。ＬＴＥ−Ｕ  ＵＥ１０２は、ＬＴＥ−Ｕ  ＳＣｅｌｌキャリア１３０上でもｅＮＢ１０４に伝送し、またはそこから受信し得る。図示される実施例では、ＬＴＥ−Ｕ  ＳＣｅｌｌキャリア１３０は、免許不要スペクトル内で動作する。
【００１５】
図示される実施例では、ＬＴＥ−Ｕ  ＵＥ１０２は、ｅＮＢ１０４から第１の不連続受信（ＤＲＸ）構成を受信する。ＬＴＥ−Ｕ  ＵＥ１０２が第１のＤＲＸ構成で動作している間、ＬＴＥ−Ｕ  ＵＥ１０２は、ＬＴＥ−Ｕ  ＳＣｅｌｌキャリア１３０の負荷変化後に、ｅＮＢ１０４からＤＲＸ構成切り替え指示を受信する。ＤＲＸ構成切り替え指示は、第２のＤＲＸ構成への切り替えを示す。ＤＲＸ構成切り替え指示に応答して、ＬＴＥ−Ｕ  ＵＥ１０２は、第１のＤＲＸ構成から第２のＤＲＸ構成に切り替わる。図２−４および関連説明は、これらの実装の追加の詳細を提供する。いくつかの代替案では、ＬＴＥ−Ｕ  ＵＥは、初期接続設定段階中に複数のＤＲＸ構成を受信し得、各ＤＲＸ構成は、インデックスを有する。
【００１６】
ある場合、ｅＮＢ１０４は、ＬＴＥ−Ｕ  ＳＣｅｌｌキャリア１３０上で送信可（ＣＴＳ）メッセージまたは送信要求（ＲＴＳ）メッセージ１４２を８０２．１１デバイス１０６に伝送する。ＣＴＳメッセージまたはＲＴＳメッセージ１４２は、持続時間フィールドを含む。持続時間フィールドは、ＬＴＥ−Ｕ  ＳＣｅｌｌキャリア１３０上でのパケットデータ共有チャネル上の伝送の伝送時間を示す。ｅＮＢ１０４は、伝送時間中のＬＴＥ−Ｕ  ＳＣｅｌｌキャリア１３０上でのパケットデータ共有チャネル上の伝送のためのスケジューリンググラントを伝送する。図５−１３および関連説明は、これらの実装の追加の詳細を提供する。
【００１７】
ある場合、ＬＴＥ−Ｕ  ＵＥ１０２は、ｅＮＢ１０４からＵＬグラントを受信する。ＵＬグラントは、１つ以上のサブフレーム中のＬＴＥ−Ｕ  ＳＣｅｌｌキャリア１３０上でのＰＵＳＣＨ伝送の許可を示す。いくつかの実装では、ＬＴＥ−Ｕ  ＵＥ１０２は、ＬＴＥ−Ｕ  ＳＣｅｌｌキャリア１３０上でＣＴＳまたはＲＴＳメッセージ１４４を８０２．１１デバイス１０６に伝送する。ＣＴＳメッセージまたはＲＴＳメッセージ１４４は、持続時間フィールドを含む。持続時間フィールドは、伝送時間を示す。ＬＴＥ−Ｕ  ＵＥ１０２は、ＬＴＥ−Ｕ  ＳＣｅｌｌキャリア１３０が１つ以上のサブフレーム中の伝送のために利用可能であるかどうかを決定する。ＬＴＥ−Ｕ  ＳＣｅｌｌキャリア１３０が伝送のために利用可能である場合、ＬＴＥ−Ｕ  ＵＥ１０２は、ＬＴＥ−Ｕ  ＳＣｅｌｌキャリア１３０上でＰＵＳＣＨサブフレームを伝送する。ＬＴＥ−Ｕ  ＳＣｅｌｌキャリア１３０が伝送のために利用可能ではない場合、ＬＴＥ−Ｕ  ＵＥ１０２は、ＬＴＥ−Ｕ  ＳＣｅｌｌキャリア１３０上で伝送することを控える。図１４−１８および関連説明は、これらの実装の追加の詳細を提供する。
【００１８】
要素の一般説明を参照すると、ＵＥは、モバイル電子デバイス、ユーザデバイス、移動局、加入者局、携帯用電子デバイス、モバイル通信デバイス、無線モデム、または無線端末と称され得る。ＵＥ（例えば、ＬＴＥ−Ｕ  ＵＥ１０２）の実施例は、携帯電話、携帯情報端末（ＰＤＡ）、スマートフォン、ラップトップ、タブレットパーソナルコンピュータ（ＰＣ）、ポケットベル、携帯用コンピュータ、携帯用ゲームデバイス、装着型電子デバイス、または無線通信ネットワークを介して音声もしくはデータを伝達するための構成要素を有する他のモバイル通信デバイスを含み得る。無線通信ネットワークは、免許スペクトルを経由した、または免許不要スペクトルを経由した無線リンクを含み得る。
【００１９】
ＵＥの他の実施例は、テレビ、リモートコントローラ、セットトップボックス、コンピュータモニタ、コンピュータ（タブレット、デスクトップコンピュータ、ハンドヘルドまたはラップトップコンピュータ、ネットブックコンピュータを含む）、電子レンジ、冷蔵庫、ステレオシステム、カセットレコーダまたはプレーヤ、ＤＶＤプレーヤまたはレコーダ、ＣＤプレーヤまたはレコーダ、ＶＣＲ、ＭＰ３プレーヤ、ラジオ、カムコーダ、カメラ、デジタルカメラ、携帯用メモリチップ、洗濯機、乾燥機、洗濯機／乾燥機、コピー機、ファクシミリ機、スキャナ、多機能周辺デバイス、腕時計、時計、およびゲームデバイス等を含むが、それらに限定されない。ＵＥは、デバイスと、加入者識別モジュール（ＳＩＭ）アプリケーション、汎用加入者識別モジュール（ＵＳＩＭ）アプリケーション、または取り外し可能なユーザ識別モジュール（Ｒ−ＵＩＭ）アプリケーションを含む汎用集積回路カード（ＵＩＣＣ）等の取り外し可能なメモリモジュールとを含み得る。「ＵＥ」という用語はまた、ユーザのための通信セッションを終了させ得る、任意のハードウェアまたはソフトウェア構成要素を指すこともできる。加えて、「ユーザ機器」、「ＵＥ」、「ユーザ機器デバイス」、「ユーザエージェント」、「ＵＡ」、「ユーザデバイス」、および「モバイルデバイス」という用語は、本明細書では同義的に使用されることができる。
【００２０】
無線通信ネットワーク１１０は、１つまたは複数の無線アクセスネットワーク（ＲＡＮ）、コアネットワーク（ＣＮ）、および外部ネットワークを含み得る。ＲＡＮは、１つ以上の無線アクセス技術を備え得る。いくつかの実装では、無線アクセス技術は、グローバルシステムフォーモバイルコミュニケーション（ＧＳＭ（登録商標））、暫定基準９５（ＩＳ−９５）、ユニバーサルモバイルテレコミュニケーションシステム（ＵＭＴＳ）、ＣＤＭＡ２０００（符号分割多重アクセス）、進化型ユニバーサルモバイルテレコミュニケーションシステム（ＵＭＴＳ）、ロングタームエボリューション（ＬＴＥ）、またはＬＴＥ＿Ａｄｖａｎｃｅｄであり得る。ある場合、コアネットワークは、進化型パケットコア（ＥＰＣ）であり得る。
【００２１】
ＲＡＮは、ＵＭＴＳ、ＣＤＭＡ２０００、３ＧＰＰ  ＬＴＥ、および３ＧＰＰ  ＬＴＥ−Ａ等の無線アクセス技術を実装する無線電気通信システムの一部である。多くの用途では、ＲＡＮは、少なくとも１つのｅＮＢ１０４を含む。ｅＮＢ１０４は、システムの固定部分における全てまたは少なくともいくつかの無線関連機能を制御し得る無線基地局であり得る。ｅＮＢ１０４は、それらの受信可能地域またはＬＴＥ−Ｕ  ＵＥ１０２が通信するためのセル内で無線インターフェースを提供し得る。ｅＮＢ１０４は、広い受信可能地域を提供するように、セルラーネットワークの全体を通して分配され得る。ｅＮＢ１０４は、１つもしくは複数のＵＥ、他の基地局、および１つ以上のコアネットワークノードに直接通信する。
【００２２】
８０２．１１デバイスは、免許不要スペクトル内で動作する任意のデバイスであり得る。８０２．１１デバイス（例えば、８０２．１１デバイス１０６）の実施例は、携帯電話、携帯情報端末（ＰＤＡ）、スマートフォン、ラップトップ、タブレットパーソナルコンピュータ（ＰＣ）、ポケットベル、携帯用コンピュータ、携帯用ゲームデバイス、装着型電子デバイス、アクセスポイント、アクセス端末、または免許不要スペクトルを経由して音声もしくはデータを伝達するための構成要素を有する他のモバイル通信デバイスを含み得る。免許不要スペクトルの実施例は、ＩＥＥＥ  ８０２．１１無線ローカルエリアネットワーク技術を使用するスペクトルを含み得る。
【００２３】
図１に関して説明されるが、本開示は、そのような環境に限定されない。一般に、無線通信システムは、いくつかの無線セル、または基地局もしくは他の固定送受信機によって各々がサービス提供されるセルから構成されるセルラーネットワークとして表され得る。セルは、ある地域にわたって無線受信可能範囲を提供するために、異なる地域を覆うように使用される。例示的無線通信システムは、グローバルシステムフォーモバイルコミュニケーション（ＧＳＭ（登録商標））プロトコル、ユニバーサルモバイルテレコミュニケーションシステム（ＵＭＴＳ）、３ＧＰＰロングタームエボリューション（ＬＴＥ）、およびその他を含む。無線通信システムに加えて、無線広帯域通信システムも、本開示に説明される種々の実装のために好適であり得る。例示的無線広帯域通信システムは、ＩＥＥＥ  ８０２．１１無線ローカルエリアネットワーク、ＩＥＥＥ  ８０２．１６  ＷｉＭＡＸネットワーク等を含む。
【００２４】
図２は、ＭＡＣ信号伝達を使用するＤＲＸ構成切り替えを図示する例示的データフロー図２００である。図示される実施例では、ｅＮＢ１０４は、ＤＲＸ構成を適応的に切り替えるためにＬＴＥ−Ｕ  ＵＥ１０２と通信する。図示される実施例では、ｅＮＢ１０４は、ＬＴＥ−Ｕ  ＳＣｅｌｌキャリアにおけるダウンリンク上のＰＤＣＣＨを使用する、ＬＴＥ−Ｕ  ＳＣｅｌｌキャリア上の伝送をスケジュールに入れる。ＬＴＥ−Ｕ  ＵＥ１０２は、スケジューリンググラントに対してＬＴＥ−Ｕ  ＳＣｅｌｌキャリア上のＰＤＣＣＨを監視する。図示される実施例では、ＬＴＥ−Ｕ  ＵＥ１０２は、ＤＲＸモードで動作するように構成される。したがって、ＬＴＥ−Ｕ  ＵＥ１０２は、ＤＲＸアクティブ時間中にＬＴＥ−Ｕ  ＳＣｅｌｌキャリア上のＰＤＣＣＨを監視する。いくつかの実装では、ｅＮＢ１０４は、ＬＴＥ−Ｕ  ＳＣｅｌｌキャリアがビジーであるかどうかを決定する。そのような場合において、ｅＮＢ１０４は、ＬＴＥ−Ｕ  ＳＣｅｌｌキャリアがビジーではないときにＤＬパケットまたはスケジューリンググラントを伝送し得る。
【００２５】
ステップ２１０では、ｅＮＢ１０４は、ＲＲＣメッセージをＬＴＥ−Ｕ  ＵＥ１０２に伝送する。図示される実施例では、ＲＲＣメッセージは、ＲＲＣＣｏｎｎｅｃｔｉｏｎＲｅｃｏｎｆｉｇｕｒａｔｉｏｎメッセージである。ＲＲＣメッセージは、高負荷のためのＤＲＸ構成と、低負荷のためのＤＲＸ構成とを含む。いくつかの代替案では、ＲＲＣメッセージは、３つ以上のＤＲＸ構成を含み得る。高負荷のためのＤＲＸ構成は、より頻繁にＵＥを起動した状態（すなわち、ダウンリンクにおけるＰＤＣＣＨをリッスンする）で保ち得るパラメータを含む。例えば、高負荷のためのＤＲＸ構成は、より短いＤＲＸサイクル、より長い非活動タイマ、より長いオン持続時間タイマ等を含み得る。低負荷のためのＤＲＸ構成は、より頻繁にＵＥをスリープ状態で保ち、それによって、ＵＥの電力消費を削減し得る、パラメータを含む。例えば、低負荷のためのＤＲＸ構成は、より長いＤＲＸサイクル、より短い非活動タイマ、より長いオン持続時間タイマ等を含み得る。
【００２６】
ステップ２２０では、ＬＴＥ−Ｕ  ＵＥ１０２は、ＲＲＣＣｏｎｎｅｃｔｉｏｎＲｅｃｏｎｆｉｇｕｒａｔｉｏｎメッセージが失敗なく受信されたことを示すために、ＲＲＣＣｏｎｎｅｃｔｉｏｎＲｅｃｏｎｆｉｇｕｒａｔｉｏｎＣｏｍｐｌｅｔｅをｅＮＢ１０４に送信する。図示される実施例では、ＬＴＥ−Ｕ  ＵＥ１０２は、高負荷のためのＤＲＸ構成を使用するＤＲＸモードになる。
【００２７】
ステップ２３０では、ｅＮＢ１０４は、免許不要スペクトル、すなわち、ＬＴＥ−Ｕ  ＳＣｅｌｌキャリア上の低負荷を検出する。ｅＮＢ１０４は、１つ以上の要因に基づいて、ＬＴＥ−Ｕ  ＳＣｅｌｌキャリア上の負荷を決定し得る。これらの要因は、ＬＴＥ−Ｕ  ＳＣｅｌｌキャリア上の衝突率、ＬＴＥ−Ｕ  ＳＣｅｌｌキャリア上で検出される平均エネルギーレベル、ＬＴＥ−Ｕ  ＳＣｅｌｌキャリアを経由して達成される平均データレート、および媒体占有係数を含み得る。ＬＴＥ−Ｕ  ＳＣｅｌｌキャリア上の負荷が低いとき、ＬＴＥ−Ｕ  ＳＣｅｌｌキャリアを通してアクセスを得る確率は高い。したがって、データトラフィックの待ち時間要件は、低負荷のためのＤＲＸ構成を使用することによって満たされることができる。したがって、ｅＮＢ１０４は、ＤＲＸ構成切り替え指示をＬＴＥ−Ｕ  ＵＥ１０２に送信する。いくつかの実装では、ＤＲＸ構成切り替え指示は、ＭＡＣ制御要素（ＣＥ）において伝送され得る。ＬＴＥ−Ｕ  ＵＥ１０２は、ＤＲＸ構成切り替え指示を受信し、高負荷のためのＤＲＸ構成から低負荷のためのＤＲＸ構成に切り替わる。
【００２８】
ステップ２４０では、ｅＮＢ１０４は、ＬＴＥ−Ｕ  ＳＣｅｌｌキャリア上の高負荷を検出する。そのような場合において、ＬＴＥ−Ｕ  ＳＣｅｌｌキャリアを通してアクセスを得る確率は低い。したがって、ダウンリンクトラフィックの待ち時間は、このシナリオでは、ＬＴＥ−Ｕ  ＳＣｅｌｌキャリアの不可用性により、高くあり得る。したがって、ｅＮＢ１０４は、ＤＲＸ構成切り替え指示をＬＴＥ−Ｕ  ＵＥ１０２に送信する。ＬＴＥ−Ｕ  ＵＥ１０２は、ＤＲＸ構成切り替え指示を受信し、低負荷のためのＤＲＸ構成から高負荷のためのＤＲＸ構成に切り替わる。
【００２９】
いくつかの実装では、ｅＮＢ１０４は、ＬＴＥ−Ｕ  ＵＥ１０２のために３つ以上のＤＲＸ構成を構成し得る。したがって、ｅＮＢ１０４は、事前構成されたＤＲＸ構成のうちのいずれかに切り替わるようにＬＴＥ−Ｕ  ＵＥ１０２に命令するために、ＤＲＸ構成切り替え指示を使用し得る。以下は、ＭＡＣ  ＣＥを使用してＤＲＸ構成を切り替えることをサポートし得る、３ＧＰＰ  ＴＳ  ３６．３２１仕様の例示的部分である。この例では、８つの異なるＤＲＸ構成が、事前構成されることができ、ＭＡＣ  ＣＥベースの信号伝達が、これらの構成間で切り替えるために使用される。
【００３０】
【表１】
0006672273.tif 000002
【００３１】
６．１．３．１０  ＤＲＸ構成切り替えＭＡＣ制御要素
ＤＲＸ構成切り替えＭＡＣ制御要素（ＣＥ）は、表６．２．１−１で規定されるようなＬＣＩＤを伴うＭＡＣ  ＰＤＵサブヘッダによって識別される。それは、固定サイズを有し、以下のように定義される単一のオクテットから成る。
−Ｒ：「０」に設定される、予約されたビット
−ＤＲＸ構成切り替え：このフィールドは、ＤＲＸ事前構成のインデックスを示す。フィールドの長さは、３ビットであり、ＵＥにおける８つの異なるＤＲＸ事前構成を識別する。値０は、ＤＲＸ事前構成０を識別し、値１は、ＤＲＸ事前構成１を識別する等。
【００３２】
【表２】
0006672273.tif 000003
【００３３】
図３は、ＲＲＣ信号伝達を使用するＤＲＸ構成切り替えを図示する例示的データフロー図３００である。図示される実施例では、ｅＮＢ１０４は、ＤＲＸ構成を適応的に切り替えるためにＬＴＥ−Ｕ  ＵＥ１０２と通信する。図示される実施例では、ｅＮＢ１０４は、ＬＴＥ−Ｕ  ＳＣｅｌｌキャリアにおけるダウンリンク上のＰＤＣＣＨを使用する、ＬＴＥ−Ｕ  ＳＣｅｌｌキャリア上の伝送をスケジュールに入れる。上記で議論されるように、ＬＴＥ−Ｕ  ＵＥ１０２は、ＤＲＸモードで動作するように構成され、したがって、ＤＲＸアクティブ時間中にＬＴＥ−Ｕ  ＳＣｅｌｌキャリア上のＰＤＣＣＨを監視する。
【００３４】
ステップ３１０では、ｅＮＢ１０４は、ＬＴＥ−Ｕ  ＳＣｅｌｌキャリア上の負荷が低いことを決定する。ｅＮＢ１０４は、ＲＲＣメッセージをＬＴＥ−Ｕ  ＵＥ１０２に伝送する。図示される実施例では、ＲＲＣメッセージは、ＲＲＣＣｏｎｎｅｃｔｉｏｎＲｅｃｏｎｆｉｇｕｒａｔｉｏｎメッセージである。ＲＲＣメッセージは、低負荷のためのＤＲＸ構成を含む。いくつかの実装では、ｅＮＢ１０４は、ＬＴＥ−Ｕ  ＵＥ１０２のために２つ以上のＤＲＸ構成を事前構成し得る。
【００３５】
ステップ３２０では、ＬＴＥ−Ｕ  ＵＥ１０２は、ＲＲＣＣｏｎｎｅｃｔｉｏｎＲｅｃｏｎｆｉｇｕｒａｔｉｏｎメッセージが失敗なく受信されたことを示すために、ＲＲＣＣｏｎｎｅｃｔｉｏｎＲｅｃｏｎｆｉｇｕｒａｔｉｏｎＣｏｍｐｌｅｔｅをｅＮＢ１０４に送信する。ＬＴＥ−Ｕ  ＵＥ１０２は、低負荷のためのＤＲＸ構成を使用して、ＤＲＸモードになる。
【００３６】
ステップ３３０では、ｅＮＢ１０４は、ＬＴＥ−Ｕ  ＳＣｅｌｌキャリア上の高負荷を検出する。したがって、ｅＮＢ１０４は、ＤＲＸ構成切り替え指示をＬＴＥ−Ｕ  ＵＥ１０２に送信する。いくつかの実装では、ＤＲＸ構成切り替え指示は、ＲＲＣメッセージ内で伝送され得る。図示される実施例では、ＲＲＣメッセージは、ＲＲＣＣｏｎｎｅｃｔｉｏｎＲｅｃｏｎｆｉｇｕｒａｔｉｏｎメッセージである。いくつかの実装では、ＲＲＣメッセージは、高負荷のためのＤＲＸ構成に関連付けられているパラメータを含み得る。ＬＴＥ−Ｕ  ＵＥ１０２は、ＤＲＸ構成切り替え指示を受信し、低負荷のためのＤＲＸ構成から高負荷のためのＤＲＸ構成に切り替わる。ステップ３３２では、ＬＴＥ−Ｕ  ＵＥ１０２は、ＲＲＣＣｏｎｎｅｃｔｉｏｎＲｅｃｏｎｆｉｇｕｒａｔｉｏｎＣｏｍｐｌｅｔｅをｅＮＢ１０４に送信する。
【００３７】
ステップ３４０では、ｅＮＢ１０４は、ＬＴＥ−Ｕ  ＳＣｅｌｌキャリア上の低負荷を検出する。したがって、ｅＮＢ１０４は、ＤＲＸ構成切り替え指示をＬＴＥ−Ｕ  ＵＥ１０２に送信する。いくつかの実装では、ＤＲＸ構成切り替えは、ＲＲＣメッセージ内で伝送され得る。図示される実施例では、ＲＲＣメッセージは、ＲＲＣＣｏｎｎｅｃｔｉｏｎＲｅｃｏｎｆｉｇｕｒａｔｉｏｎメッセージである。ＬＴＥ−Ｕ  ＵＥ１０２は、ＤＲＸ構成切り替え指示を受信し、高負荷のためのＤＲＸ構成から低負荷のためのＤＲＸ構成に切り替わる。ステップ３４２では、ＬＴＥ−Ｕ  ＵＥ１０２は、ＲＲＣＣｏｎｎｅｃｔｉｏｎＲｅｃｏｎｆｉｇｕｒａｔｉｏｎＣｏｍｐｌｅｔｅをｅＮＢ１０４に送信する。いくつかの代替案では、複数のＤＲＸ構成が構成されるとき、ＤＲＸ構成切り替え指示は、意図されたＤＲＸ構成のインデックスを含み得る。
【００３８】
図４は、ＤＲＸ構成切り替えのための方法を図示するフローチャート４００である。フローチャートは、ＵＥが進化型ＮｏｄｅＢ（ｅＮＢ）から第１の不連続受信（ＤＲＸ）構成を受信するステップ４０２から始まる。いくつかの実装では、ステップ４０４では、ｅＮＢは、ＵＥのための第２のＤＲＸ構成を事前構成する。
【００３９】
ステップ４０６では、ＵＥが第１のＤＲＸ構成で動作している間に、ＵＥは、ｅＮＢから、第２のＤＲＸ構成への切り替えを示すＤＲＸ構成切り替え指示を受信する。ＤＲＸ構成切り替え指示は、ある条件が生じたとき、例えば、ＬＴＥ−Ｕ  ＳＣｅｌｌキャリアの負荷変化後、受信される。いくつかの実装では、ＬＴＥ−Ｕ  ＳＣｅｌｌキャリアの負荷変化は、ＬＴＥ−Ｕ  ＳＣｅｌｌキャリア上の衝突率、ＬＴＥ−Ｕ  ＳＣｅｌｌキャリア上で検出される平均エネルギーレベル、ＬＴＥ−Ｕ  ＳＣｅｌｌキャリアを経由して達成される平均データレート、または媒体占有係数のうちの少なくとも１つの変化に基づいて、ｅＮＢによって検出され得る。いくつかの実装では、ＤＲＸ構成切り替え指示は、媒体アクセス制御（ＭＡＣ）制御要素（ＣＥ）において受信され得る。いくつかの実装では、ＤＲＸ構成切り替え指示は、無線リソース制御（ＲＲＣ）接続再構成メッセージに含まれ得る。いくつかの実装では、ＲＲＣ接続再構成メッセージは、第２のＤＲＸ構成に関連付けられているパラメータも含み得る。ステップ４０８では、ＤＲＸ構成切り替え指示に応答して、ＵＥは、第１のＤＲＸ構成から第２のＤＲＸ構成に切り替わる。
【００４０】
図５は、ＬＴＥ−Ｕのためのリッスンビフォートーク（ＬＢＴ）方式を図示する例示的フローチャート５００である。ＬＢＴ方式は、異なるデバイス（例えば、ｅＮＢ１０４またはＬＴＥ−Ｕ  ＵＥ１０２）内のＬＢＴモジュールによって実装され得る。フローチャート５００は、媒体がビジーであるかどうかを決定するために空きチャネル査定（ＣＣＡ）が行われるステップ５１０から始まる。例えば、ｅＮＢ１０４は、ダウンリンクにおいて伝送する前にＬＴＥ−Ｕ  ＳＣｅｌｌキャリアがビジーであるかどうかを決定し得る。ＬＴＥ−Ｕ  ＵＥ１０２は、アップリンクにおいて伝送する前にＬＴＥ−Ｕ  ＳＣｅｌｌキャリアがビジーであるかどうかも決定し得る。いくつかの実装では、ＬＢＴモジュールは、その可用性に対してＬＴＥ−Ｕ  ＳＣｅｌｌキャリアをリッスンし得る。媒体がビジーであるかどうかを決定するために、ＬＢＴモジュールは、いくつかの方法を使用して、ＬＴＥ−Ｕ  ＳＣｅｌｌキャリア上の伝送を検出し得る。例えば、ＬＢＴモジュールは、キャリア上のＲＦエネルギー、キャリア上の８０２．１１プリアンブル伝送、キャリア上で伝送されるＬＴＥ−Ｕ信号、またはキャリア上で伝送されるレーダ／一次ユーザ信号を検出し得る。
【００４１】
媒体がビジーである場合、ステップ５１２では、ＬＢＴモジュールは、デバイスがＬＴＥ−Ｕ  ＳＣｅｌｌキャリア上で伝送することを防止する。いくつかの実装では、ＬＴＥ−Ｕ  ＳＣｅｌｌキャリア上の伝送が検出された場合、ＬＢＴモジュールは、フレーム間間隔（ＩＦＳ）期間を待ち得る。いくつかの実装では、複数のＩＦＳが定義され得る。例えば、短いＩＦＳ（ＳＩＦＳ）は、送信要求（ＲＴＳ）または送信可（ＣＴＳ）／確認応答（ＡＣＫ）伝送等のより高い優先順位の伝送によって使用され得る。これらの伝送は、ＳＩＦＳが経過した後に起こり得る。他の伝送に対して、キャリアは、分散調整機能（ＤＣＦ）ＩＦＳ（ＤＩＦＳ）が満了した後に、競合基準でアクセスされ得る。ＳＩＦＳは、約１０マイクロ秒であり得、ＤＩＦＳは、約５０マイクロ秒であり得る。ＩＦＳの値は、免許不要スペクトルで使用される技術に応じて変動し得る。加えて、点調整機能フレーム間空間（ＰＩＦＳ）が定義され得る。ＰＩＦＳの値は、ＤＩＦＳとＳＩＦＳとの間にあり、したがって、ＤＩＦＳを使用するデバイスと比較して、チャネルアクセスのためにわずかに高い優先順位を提供する。いくつかの実装では、ＩＦＳ期間、例えば、ＤＩＦＳ期間後に、ＬＢＴモジュールは、キャリア上で伝送する前に、追加のバックオフ期間を待ち得る。ランダムに描かれた時間遅延パラメータが、バックオフ期間に定義され得る。バックオフ期間は、チャネルがＤＩＦＳ期間にわたって静かである全間隔後にデクリメントされ得る。いくつかの実装では、例えば、他のデバイスがキャリアにアクセスする機会を有する前に、アトミックフレーム転送動作を完了したばかりのデバイスが、再度、キャリアに過度に迅速にアクセスすることを防止するために、競合窓（ＣＷｉｎｄｏｗ）タイマが使用される。
【００４２】
媒体がビジーではない場合、ステップ５１４では、ＬＢＴモジュールが、ＬＴＥ−Ｕ  ＳＣｅｌｌキャリア上で伝送するようにデバイスに命令する。以下の表は、ＬＢＴ方式とＭＡＣスケジューリング決定との間の相互作用の例を図示する。
【００４３】
【表３】
0006672273.tif 000004
【００４４】
図６は、ｅＮＢによる例示的クロスキャリアスケジューリング方法を図示する概略図６００である。概略図６００は、ＬＴＥ  ＰＣｅｌｌキャリア６１０と、ＬＴＥ−Ｕ  ＳＣｅｌｌキャリア６４０とを含む。ＬＴＥ  ＰＣｅｌｌキャリア６１０は、ＰＤＣＣＨ６１２と、ＰＤＳＣＨ６１４とを含む。ＬＴＥ−Ｕ  ＳＣｅｌｌキャリア６４０は、ＰＤＳＣＨ６４２を含む。ＵＥ１  ６３０、ＵＥ２  ６３２、およびＵＥ−３  ６３４は、ＬＴＥ  ＰＣｅｌｌキャリア６１０およびＬＴＥ−Ｕ  ＳＣｅｌｌキャリア６４０の両方で動作するＬＴＥ−Ｕ  ＵＥである。図示される例では、クロススケジューリングが使用され、したがって、ＵＥ１  ６３０、ＵＥ２  ６３２、およびＵＥ３  ６３４は、ＬＴＥ−Ｕ  ＳＣｅｌｌキャリア６４０のスケジューリンググラントに対してＬＴＥ  ＰＣｅｌｌキャリア６１０上のＰＤＣＣＨ６１２を監視する。ＵＥがＤＲＸモードで動作する場合、ｅＮＢは、ＵＥがＬＴＥ  ＰＣｅｌｌキャリア上でＤＲＸ非アクティブ時間にあるときにスケジューリンググラントを伝送し得る。
【００４５】
図７は、ＵＥのための例示的クロススケジューリング方法を図示する概略図７００である。概略図７００は、ＬＴＥ  ＰＣｅｌｌキャリア７１０と、ＬＴＥ−Ｕ  ＳＣｅｌｌキャリア７２０とを含む。ＬＴＥ  ＰＣｅｌｌキャリア７１０は、ＰＤＣＣＨ７１２と、ＰＤＳＣＨ７１４とを含む。図示される例では、ＵＥは、ＬＴＥ−Ｕ  ＳＣｅｌｌキャリア７２０のスケジューリンググラントに対してＬＴＥ  ＰＣｅｌｌキャリア７１０上のＰＤＣＣＨ７１２を監視する。
【００４６】
図８は、ＬＴＥ−Ｕ  ＳＣｅｌｌキャリア上の衝突に対処するための例示的方法を図示する概略図８００である。概略図８００は、ＬＴＥ  ＰＣｅｌｌキャリア８１０と、ＬＴＥ−Ｕ  ＳＣｅｌｌキャリア８２０とを含む。ＬＴＥ  ＰＣｅｌｌキャリア８１０は、サブフレーム＃０においてＰＤＣＣＨ８１２およびＰＤＳＣＨ８１４を含む。ＬＴＥ  ＰＣｅｌｌキャリア８１０は、サブフレーム＃ｎにおいてＰＤＣＣＨ８２２およびＰＤＳＣＨ８２４も含む。ＬＴＥ−Ｕ  ＳＣｅｌｌキャリア８２０は、サブフレーム＃ｎにおいてＰＤＳＣＨ８３０を含む。ＬＴＥ  ＰＣｅｌｌキャリア８１０が免許スペクトル内で動作するので、ｅＮＢは、ＬＴＥ  ＰＣｅｌｌキャリア８１０上でスケジューリンググラントまたはＤＬデータを伝送するために、ＬＢＴ方式を使用しないこともある。一方で、ｅＮＢは、ＬＴＥ−Ｕ  ＳＣｅｌｌキャリア８２０上で伝送するためにＬＢＴ方式を使用し得る。
【００４７】
図示される例では、ｅＮＢは、サブフレーム＃０においてＬＴＥ  ＰＣｅｌｌキャリア８１０およびＬＴＥ−Ｕ  ＳＣｅｌｌキャリア８２０の両方の上で伝送するスケジューリング決定を行う。次いで、ｅＮＢは、ＬＢＴ方式に基づいて、ＬＴＥ−Ｕ  ＳＣｅｌｌキャリア８２０が利用可能ではないことを決定する。そのような場合、ｅＮＢは、ＬＴＥ  ＰＣｅｌｌキャリア８１０上で伝送し得、それは、ＰＤＣＣＨ８１２上のスケジューリンググラントおよびＰＤＳＣＨ８１４上のＤＬデータの両方を含む。したがって、ＵＥは、サブフレーム＃０において、ＬＴＥ−Ｕ  ＳＣｅｌｌキャリア８２０のためのクロスキャリアダウンリンクスケジューリンググラントを受信し得るが、ＬＴＥ−Ｕ  ＳＣｅｌｌキャリア８２０上のＤＬ伝送はない。ＵＥは、ＵＥのＣＲＮＴＩにアドレス指定された伝送がＬＴＥ−Ｕ  ＳＣｅｌｌキャリア８２０上で受信されなかったことを決定することによって、サブフレーム＃０においてＬＴＥ−Ｕ  ＳＣｅｌｌキャリア８２０上のＤＬ伝送がないことを決定し得る。図示される実施例では、ＵＥは、ＵＥにアドレス指定されたサブフレームがＬＴＥ−Ｕ  ＳＣｅｌｌキャリア８２０上で受信されるまで、ダウンリンクサブフレームに対してＬＴＥ−Ｕ  ＳＣｅｌｌキャリア８２０を監視し続け得る。ＵＥはまた、ＵＥがサブフレーム＃０内でスケジューリンググラントを受信したことを示すために、ＨＡＲＱフィードバック、例えば、ＨＡＲＱ  ＮＡＣＫを、ＬＴＥ  ＰＣｅｌｌ  ＵＬ上でｅＮＢに送信し得る。ＵＥは、ＤＲＸ非活動タイマが満了した後にＤＬ伝送を監視し続け得る。例えば、ＵＥは、ＬＴＥ−Ｕ  ＳＣｅｌｌキャリア８２０のためのクロスキャリアスケジュールグラントを受信すると、非活動タイマ等のＤＲＸ関連タイマを起動または再起動し、以下の条件のうちの少なくとも１つが当てはまる場合、ＬＴＥ−Ｕ  ＳＣｅｌｌキャリア８２０をリッスンし続け得る：１）ＵＥがＤＲＸアクティブ時間にあることをＤＲＸタイマが示す、または、２）ＬＴＥ  ＰＣｅｌｌキャリア８１０上の最新ＰＤＣＣＨグラント後、ＵＥにアドレス指定されたダウンリンクフレームがまだ受信されていない。サブフレーム＃ｎにおいて、ＬＴＥ−Ｕ  ＳＣｅｌｌキャリア８２０が空いていることをｅＮＢが検出すると、ｅＮＢは、ＬＴＥ−Ｕ  ＳＣｅｌｌキャリア８２０のＰＤＳＣＨ８３０上の対応するＤＬデータ伝送を示すために、ＰＤＣＣＨ８２２上で別のスケジューリンググラントを送信し得る。以下は、上で説明される衝突対処方法をサポートし得る、３ＧＰＰ  ＴＳ  ３６．３２１仕様の例示的部分である。
【００４８】
ＤＲＸサイクルが構成される場合、アクティブ時間は、以下を含む：
−  （第５．１．５項に説明されるような）ｏｎＤｕｒａｔｉｏｎＴｉｍｅｒ、ｄｒｘ−ＩｎａｃｔｉｖｉｔｙＴｉｍｅｒ、ｄｒｘ−ＲｅｔｒａｎｓｍｉｓｓｉｏｎＴｉｍｅｒ、またはｍａｃ−ＣｏｎｔｅｎｔｉｏｎＲｅｓｏｌｕｔｉｏｎＴｉｍｅｒが作動している間の時間、または
−  スケジューリング要求がＰＵＣＣＨ上で送信され、（第５．４．４項に説明されるように）保留中である間の時間、または
−  保留中ＨＡＲＱ再伝送のためのアップリンクグラントが起こり得、対応するＨＡＲＱバッファにデータがある間の時間、または
−  ＵＥのＣ−ＲＮＴＩにアドレス指定された新しい伝送を示すＰＤＣＣＨが、（第５．１．４項に説明されるように）ＵＥによって選択されていないプリアンブルのためのランダムアクセス応答の成功した受信後に受信されていない間の時間、または
−  免許不要キャリア上のクロスキャリアスケジュールダウンリンクサブフレームを示す、ＵＥのＣ−ＲＮＴＩにアドレス指定された新しい伝送を示すＰＤＣＣＨが受信されており、免許不要キャリアのＰＤＳＣＨ上の対応する伝送がまだ受信されていない間の時間。
【００４９】
図９は、ダウンリンク伝送のためのｅＮＢによるチャネルクリアリング方法を図示する例示的データフロー図９００である。図示される実施例では、ｅＮＢ１０４は、ＬＴＥ  ＰＣｅｌｌキャリアおよびＬＴＥ−Ｕ  ＳＣｅｌｌキャリアの両方の上でＬＴＥ−Ｕ  ＵＥ１０２と通信する。ステップ９１０では、ｅＮＢ１０４内のＭＡＣスケジューラは、ＬＴＥ−Ｕ  ＳＣｅｌｌキャリア上の伝送をスケジュールに入れる。ステップ９２０では、ｅＮＢ１０４は、ＣＣＡを行い、ＬＴＥ−Ｕ  ＳＣｅｌｌキャリア上のサブフレームの伝送に先立って、ＬＴＥ−Ｕ  ＳＣｅｌｌキャリア上でＲＴＳメッセージまたはＣＴＳメッセージのいずれか一方を送信する。ＲＴＳメッセージまたはＣＴＳメッセージは、持続時間フィールドを含み得る。持続時間フィールドは、ＬＴＥ−Ｕ  ＳＣｅｌｌキャリアがデータ伝送のために占有されるであろう期間を示し得る。ＬＴＥ−Ｕ  ＳＣｅｌｌキャリア内で動作する他のデバイスは、ＲＴＳまたはＣＴＳを受信し、ネットワーク割り付けベクトル（ＮＡＶ）を更新し得る。次いで、ＮＡＶフィールドは、ＬＴＥ−Ｕ  ＳＣｅｌｌキャリアが持続時間フィールドによって示されるような期間中にビジーである可能性が高いことを他のデバイスに暗示的に示す。
【００５０】
ステップ９３０では、ＣＴＳまたはＲＴＳメッセージが、ＬＴＥ−Ｕ  ＳＣｅｌｌキャリア上のチャネルを空いた状態にするために伝送される。いくつかの実装では、伝送機、例えば、ｅＮＢ１０４は、ＲＴＳメッセージに宛先アドレス（ＲＡ）を含み、ＲＴＳを送信し得る。ＲＴＳを受信すると、（ＲＴＳメッセージ内のＲＡによって識別される）受信機は、ＣＴＳメッセージを伝送し、ＣＴＳを伝送機に返送し得る。ＲＴＳおよびＣＴＳメッセージが両方とも、持続時間フィールドによって示されるような期間にわたってリスニングデバイスをミュートするという同じ影響を及ぼすので、伝送機および受信機の付近のデバイスは、期間中に伝送することを控え得る。いくつかの実装では、ｅＮＢは、ＬＴＥ−Ｕ  ＳＣｅｌｌキャリア上の後続のスケジュールに入れられた伝送が干渉のない状態で保たれるように、ＲＴＳまたはＣＴＳメッセージの伝送の時期を決定する。
【００５１】
ステップ９４０では、ＣＴＳまたはＲＴＳメッセージの持続時間フィールドによって示される伝送時間中に、ｅＮＢ１０４は、ＬＴＥ  ＰＣｅｌｌキャリアのＰＤＣＣＨ上でＬＴＥ−Ｕ  ＳＣｅｌｌキャリアのスケジューリンググラントをＬＴＥ−Ｕ  ＵＥ１０２に伝送する。ｅＮＢ１０４はまた、ＬＴＥ  ＳＣｅｌｌキャリア上でＤＬデータをＬＴＥ−Ｕ  ＵＥ１０２に伝送する。
【００５２】
図１０は、ｅＮＢによるダウンリンク伝送上のチャネルを空いた状態にするためのタイミング関係を図示する例示的データフロー図１０００である。図示される例では、ｅＮＢ１０４は、ＬＴＥ  ＰＣｅｌｌキャリアおよびＬＴＥ−Ｕ  ＳＣｅｌｌキャリアの両方の上でＬＴＥ−Ｕ  ＵＥ１０２と通信する。ｅＮＢ１０４はまた、ＬＴＥ−Ｕ  ＳＣｅｌｌキャリア上でＲＴＳ／ＣＴＳを８０２．１１デバイス１０６に送信する。ステップ１０１０では、ｅＮＢ１０４は、ＬＴＥ−Ｕ  ＳＣｅｌｌキャリア上でＤＬリソースを供与することを決定する。ステップ１０２０では、ｅＮＢ１０４は、スケジュールに入れられた伝送時間におけるＬＴＥ−Ｕ  ＳＣｅｌｌキャリアを空いた状態にするためにＲＴＳ／ＣＴＳメッセージをブロードキャストする。図示される実施例に示されるように、ｅＮＢ１０４がＬＴＥ−Ｕ  ＳＣｅｌｌキャリアについてのスケジューリング決定を行った後、ＲＴＳまたはＣＴＳメッセージの伝送のための好機が始まる。いくつかの実装では、ｅＮＢ１０４は、実際のＰＤＳＣＨ伝送に近い時間にＲＴＳまたはＣＴＳメッセージを送信し得る。このアプローチは、持続時間フィールド内でより小さい値を設定しながら、ＬＴＥ−Ｕ  ＳＣｅｌｌキャリアをビジー状態に保ってもよい。いくつかの実装では、ＲＴＳまたはＣＴＳメッセージは、擬似ＭＡＣアドレス、もしくはｅＮＢ１０４自体に関連付けられるＭＡＣアドレスにアドレス指定され得る。ＲＴＳ／ＣＴＳメッセージを受信すると、８０２．１１デバイス１０６は、ＬＴＥ−Ｕ  ＳＣｅｌｌキャリアが予約されていることに留意するようにＮＡＶを更新し得る。ＬＴＥ−Ｕ  ＳＣｅｌｌキャリア内で動作する他のデバイス、例えば、任意の他のＬＴＥ−Ｕ  ｅＮＢまたはＷｉ−Ｆｉデバイスも、ＲＴＳまたはＣＴＳメッセージを読み取り、ＮＡＶを更新し得る。短期間内に初期伝送および後続の伝送を行うために、トランスポートブロックの複数の冗長性バージョンが、アップリンク方向へのＴＴＩバンドリングのように、連続したＴＴＩで連続して伝送され得る。ダウンリンクＴＴＩバンドリングは、ＰＤＣＣＨによって示され得る。
【００５３】
ステップ１０３０では、ｅＮＢ１０４は、スケジュール通りにＬＴＥ−Ｕ  ＳＣｅｌｌキャリア上でＬＴＥ−Ｕ  ＵＥ１０２に伝送し得る。以下は、上で説明されるチャネルクリアリング方法をサポートし得る、３ＧＰＰ  ＴＳ  ３６．２１２仕様の例示的部分である。
【００５４】
４．２  ダウンリンク
表４．２−１は、それらの対応する物理チャネルへのダウンリンクトランスポートチャネルのマッピングを規定する。表４．２−２は、その対応する物理チャネルへのダウンリンク制御チャネル情報のマッピングを規定する。
【００５５】
【表４】
0006672273.tif 000005
【００５６】
【表５】
0006672273.tif 000006
【００５７】
・・・・
５  チャネルコーディング、多重化、およびインターリービング
・・・・
５．３．３．１．２  形式１
ＤＣＩ形式１が、１つのセルの中の１つのＰＤＳＣＨ符号語のスケジューリングのために使用される。以下の情報が、ＤＣＩ形式１を用いて伝送される。
−キャリアインジケータ−０または３ビット。このフィールドは、［３］内の定義に従って存在する。
−キャリアインジケータが免許不要スペクトル内のキャリアに対応するとき、ｅＮＢは、キャリアの可用性を監視し、このキャリアがＰＤＳＣＨ符号語の伝送のために利用可能であることを確実にするために、キャリア上のＰＤＳＣＨの伝送に先立って、ＣＴＳメッセージ［ＩＥＥＥ  Ｓｔｄ  ８０２．１１ＴＭ−２０１２，Ｐａｒｔ  １１を参照］を伝送するものとする。伝送のタイミングは、ｅＮＢ実装に委ねられるが、ＰＤＳＣＨ伝送に先立つがＰＤＳＣＨの伝送インスタンスに近い時間に伝送されるべきであり、ＣＴＳメッセージ内の示された持続時間は、ＰＤＳＣＨ伝送の期間を覆うものとする。
【００５８】
図１１は、ＵＬ伝送のためのｅＮＢによるチャネルクリアリング方法を図示する例示的データフロー図１１００である。図示される実施例では、ｅＮＢ１０４は、ＬＴＥ  ＰＣｅｌｌキャリアおよびＬＴＥ−Ｕ  ＳＣｅｌｌキャリアの両方の上でＬＴＥ−Ｕ  ＵＥ１０２と通信する。ｅＮＢ１０４はまた、ＬＴＥ−Ｕ  ＳＣｅｌｌキャリア上でＲＴＳ／ＣＴＳを８０２．１１デバイス１０６に送信する。ステップ１１１０では、ＬＴＥ−Ｕ  ＵＥ１０２は、ＵＬ伝送を要求するためのスケジューリング要求（ＳＲ）をｅＮＢ１０４に送信する。いくつかの実装では、ＳＲは、ＬＴＥ  ＰＣｅｌｌキャリア上で伝送され得る。代替として、または組み合わせて、ＳＲは、ＬＴＥ−Ｕ  ＳＣｅｌｌキャリア上で伝送され得る。ステップ１１２０では、ｅＮＢ１０４は、ＬＴＥ−Ｕ  ＳＣｅｌｌキャリア上でＵＬリソースの組を供与することを決定する。ステップ１１３０では、ｅＮＢ１０４は、ＬＴＥ−Ｕ  ＳＣｅｌｌキャリアのＰＵＳＣＨ伝送のためのＵＬグラントを伝送する。ｅＮＢ１０４は、ＬＴＥ  ＰＣｅｌｌキャリア上でＵＬグラントを伝送し得る。図示される実施例では、ｅＮＢ１０４は、サブフレーム＃ＳＮ＋４においてＵＬ伝送を供与するために、サブフレーム＃ＳＮにおいてＵＬグラントを伝送する。ステップ１１４０では、ｅＮＢ１０４は、ＣＴＳまたはＲＴＳメッセージを８０２．１１デバイス１０６にブロードキャストする。以前に説明されたように、ＣＴＳまたはＲＴＳメッセージは、スケジュールに入れられたＵＬ伝送のためのサブフレームの特定の数を示す、持続時間フィールドを含み得る。いくつかの実装では、ＴＴＩバンドリングが使用されず、サブフレームの特定の数は、１であり得る。代替として、または組み合わせて、ＴＴＩバンドリングが使用され、サブフレームの特定の数は、４であり得る。ＲＴＳ／ＣＴＳメッセージを受信すると、８０２．１１デバイス１０６は、ＬＴＥ−Ｕ  ＳＣｅｌｌキャリアが予約されていることに留意するようにＮＡＶを更新し得る。ＬＴＥ−Ｕ  ＳＣｅｌｌキャリア内で動作する他のデバイス、例えば、任意の他のＬＴＥ−Ｕ  ｅＮＢまたはＷｉ−Ｆｉデバイスも、ＲＴＳまたはＣＴＳを読み取り、ＮＡＶを更新し得る。ＵＬ伝送のためにｅＮＢによってチャネルを空いた状態にすることは、１つ以上の利点を有し得る。例えば、このアプローチは、ｅＮＢにおけるＬＢＴ方式の実装を後押しし、ＵＥにおける実装の複雑性を低減させる。ステップ１１５０では、ｅＮＢ１０４は、ＬＴＥ−Ｕ  ＵＥ１０２からＬＴＥ−Ｕ  ＳＣｅｌｌキャリア上でＰＵＳＣＨ伝送を受信する。
【００５９】
図１２は、ｅＮＢによるＵＬ伝送におけるチャネルを空いた状態にするためのタイミング関係を図示する例示的データフロー図１２００である。図示される実施例では、ｅＮＢ１０４は、ＬＴＥ  ＰＣｅｌｌキャリアおよびＬＴＥ−Ｕ  ＳＣｅｌｌキャリアの両方の上でＬＴＥ−Ｕ  ＵＥ１０２と通信する。ｅＮＢ１０４はまた、８０２．１１デバイス１０６上でＲＴＳ／ＣＴＳをＬＴＥ−Ｕ  ＳＣｅｌｌキャリアに送信する。ステップ１２１０では、ＬＴＥ−Ｕ  ＵＥ１０２は、ＵＬ伝送を要求するためのスケジューリング要求（ＳＲ）をｅＮＢ１０４に送信する。ステップ１２２０では、ｅＮＢ１０４は、ＬＴＥ−Ｕ  ＳＣｅｌｌキャリア上でＵＬリソースを供与することを決定する。ステップ１２３０では、ｅＮＢ１０４は、ＬＴＥ−Ｕ  ＳＣｅｌｌキャリア上のＰＵＳＣＨ伝送のためのＵＬグラントを伝送する。図示される実施例では、ｅＮＢ１０４は、サブフレーム＃ＳＮ＋４においてＵＬ伝送を供与するために、サブフレーム＃ＳＮにおいてＵＬグラントを伝送する。いくつかの実装では、ｅＮＢ１０４は、周波数ドメインスケジューリング（各ＵＥのためのＰＤＣＣＨ上で示されるようなリソース）を使用して、同一のＵＬサブフレーム上で２つ以上のＬＴＥ−Ｕ  ＵＥのためのＵＬ伝送をスケジュールに入れ得る。
【００６０】
ステップ１２４０では、ｅＮＢ１０４は、ＣＴＳまたはＲＴＳメッセージを８０２．１１デバイス１０６にブロードキャストする。以前に説明されたように、ｅＮＢは、ＬＴＥ−Ｕ  ＳＣｅｌｌキャリア上の実際のＰＵＳＣＨ伝送に近い時間にＲＴＳまたはＣＴＳメッセージを送信し得る。いくつかの実装では、ＲＴＳまたはＣＴＳメッセージは、疑似ＭＡＣアドレスに、もしくはｅＮＢ１０４自体に関連付けられるＭＡＣアドレスにアドレス指定され得る。ＬＴＥ−Ｕ  ＳＣｅｌｌキャリア内で動作する他のデバイス、例えば、任意の他のＬＴＥ−Ｕ  ｅＮＢまたはＷｉ−Ｆｉデバイスも、ＲＴＳまたはＣＴＳメッセージを読み取り、ＮＡＶを更新し得る。ステップ１２５０では、ｅＮＢ１０４は、ＬＴＥ−Ｕ  ＵＥ１０２からＬＴＥ−Ｕ  ＳＣｅｌｌキャリア上でＰＵＳＣＨ伝送を受信する。以下は、上で説明されるチャネルクリアリング方法をサポートし得る、３ＧＰＰ  ＴＳ  ３６．２１２仕様の例示的部分である。
【００６１】
５．３．３．１．１  形式０
ＤＣＩ形式０が、１つのＵＬセルにおけるＰＵＳＣＨのスケジューリングに使用される。以下の情報が、ＤＣＩ形式０を用いて伝送される。
・−キャリアインジケータ−０または３ビット
−キャリアインジケータが免許不要スペクトル内のキャリアに対応するとき、ｅＮＢは、キャリアの可用性を監視し、このキャリアがＰＵＳＣＨ符号語の伝送のために利用可能であることを確実にするために、キャリア上のスケジュールに入れられたＰＵＳＣＨサブフレームの発生に先立って、ＣＴＳメッセージを伝送するものとする。ＣＴＳの伝送のタイミングは、ｅＮＢ実装に委ねられるが、ＣＴＳフレーム内の示された持続時間は、スケジュールに入れられたＰＵＳＣＨフレームに近い時間に発生すべきであり、ＰＵＳＣＨ伝送の期間を覆うものとする。
【００６２】
図１３は、ｅＮＢによるチャネルクリアリング方法を図示するフローチャート１３００である。フローチャート１３００は、ｅＮＢがＵＥからアップリンク（ＵＬ）伝送要求を受信するステップ１３１０から始まる。ある場合、例えば、ＤＬ伝送がスケジュールに入れられるとき、ステップ１３１０が省略され得る。ステップ１３２０では、ｅＮＢは、ＬＴＥ−Ｕ  ＳＣｅｌｌキャリア上で送信可（ＣＴＳ）メッセージまたは送信要求（ＲＴＳ）メッセージのうちの少なくとも１つを伝送する。ＣＴＳメッセージまたはＲＴＳメッセージのうちの少なくとも１つは、持続時間フィールドを含む。持続時間フィールドは、ＬＴＥ−Ｕ  ＳＣｅｌｌキャリア上でのパケットデータ共有チャネル上の伝送の伝送時間を示す。いくつかの実装では、持続時間フィールドによって示される伝送時間は、ＣＴＳメッセージまたはＲＴＳメッセージが受信される時間から設定される。例えば、そのような場合において、持続時間フィールドは、８つのサブフレームに設定され得、それは、ＣＴＳまたはＲＴＳメッセージが受信されるサブフレームの後、伝送時間が８つのサブフレームを含むことを示す。代替として、または組み合わせて、持続時間フィールドは、ＣＴＳメッセージまたはＲＴＳメッセージが受信される時間に対して事前定義された時間から設定され得る。いくつかの実装では、事前定義された時間は、ｅＮＢによって設定され得る。例えば、ｅＮＢは、４つのサブフレームであるように事前定義された時間を設定し得る。そのような場合において、持続時間フィールドが８つのサブフレームに設定された場合、伝送時間は、ＣＴＳまたはＲＴＳメッセージが受信された後の第５のサブフレームから第１２のサブフレームまでの時間を含み得る。ｅＮＢは、伝送時間中のＬＴＥ−Ｕ  ＳＣｅｌｌキャリア上でのパケットデータ共有チャネル上の伝送のためのスケジューリンググラントを伝送し得る。ある場合、ステップ１３３０では、ｅＮＢは、物理ダウンリンク共有チャネル（ＰＤＳＣＨ）伝送を示すＤＬスケジューリンググラントを伝送する。ｅＮＢはまた、伝送時間中にＰＤＳＣＨサブフレームも伝送する。ある場合、ステップ１３３２では、ｅＮＢは、ＵＥによる物理アップリンク共有チャネル（ＰＵＳＣＨ）伝送を示すＵＬスケジューリンググラントを伝送する。そのような場合において、ステップ１３３４では、ｅＮＢは、伝送時間中にＵＥからＰＵＳＣＨサブフレームを受信する。
【００６３】
図１４は、ＵＬ伝送のためのＵＥによるチャネル査定方法を図示する例示的データフロー図１４００である。図示される実施例では、ｅＮＢ１０４は、ＬＴＥ  ＰＣｅｌｌキャリアおよびＬＴＥ−Ｕ  ＳＣｅｌｌキャリアの両方の上でＬＴＥ−Ｕ  ＵＥ１０２と通信する。ステップ１４１０では、ＬＴＥ−Ｕ  ＵＥ１０２は、ＵＬ伝送を要求するためのスケジューリング要求（ＳＲ）をｅＮＢ１０４に送信する。ステップ１４２０では、ｅＮＢ１０４は、ＬＴＥ−Ｕ  ＳＣｅｌｌキャリア上でＵＬリソースを供与することを決定する。ステップ１４３０では、ｅＮＢ１０４は、ＬＴＥ−Ｕ  ＳＣｅｌｌキャリアのＰＵＳＣＨ伝送のためのＵＬグラントを伝送する。ｅＮＢ１０４は、ＬＴＥ  ＰＣｅｌｌキャリア上でＵＬグラントを伝送し得る。図示される実施例では、ｅＮＢ１０４は、サブフレーム＃ＳＮ＋４においてＵＬ伝送を供与するために、サブフレーム＃ＳＮにおいてＵＬグラントを伝送する。いくつかの実装では、ＬＴＥ−Ｕ  ＵＥ１０２は、供与されたサブフレーム上でＬＴＥ−Ｕ  ＳＣｅｌｌにアクセスする前に、ＣＣＡを行い得る。ＣＣＡは、ＬＢＴ方式に基づき得る。いくつかの実装では、ＬＴＥ−Ｕ  ＵＥ１０２内のＬＢＴモジュールは、ＬＴＥ−Ｕ  ＳＣｅｌｌキャリア上の信号レベルを測定し得る。測定された信号レベルが閾値より高い場合、ＬＴＥモジュールは、ＬＴＥ−Ｕ  ＳＣｅｌｌキャリアがビジーであることを決定する。測定された信号レベルが閾値より低い場合、ＬＴＥモジュールは、ＬＴＥ−Ｕ  ＳＣｅｌｌキャリアが空いていることを決定する。いくつかの実装では、測定された信号レベルが閾値と等しい場合、ＬＴＥモジュールは、ＬＴＥ−Ｕ  ＳＣｅｌｌキャリアがビジーであることを決定し得る。代替として、測定された信号レベルが閾値と等しい場合、ＬＴＥモジュールは、ＬＴＥ−Ｕ  ＳＣｅｌｌキャリアが空いていることを決定し得る。
【００６４】
ＬＴＥ−Ｕ  ＳＣｅｌｌキャリアがビジーであることをＬＢＴ方式が示す場合、ＬＴＥ−Ｕ  ＵＥ１０２は、ＬＴＥ−Ｕ  ＳＣｅｌｌキャリア上で伝送することを控え得る。いくつかの実装では、ｅＮＢ１０４は、無視されたグラントを欠損アップリンクフレームとして扱い得る。そのような場合において、ｅＮＢ１０４は、欠損ＰＵＳＣＨサブフレームのための再伝送機会を提供するために新しいグラントを送信し得る。代替として、または組み合わせて、ｅＮＢ１０４は、ＨＡＲＱ  ＮＡＣＫをＬＴＥ  ＰＣｅｌｌキャリア上で伝送し得、それは、スケジューリンググラントを伴わずに伝送され得、非適応再伝送をトリガし得る。ＬＴＥ−Ｕ  ＳＣｅｌｌキャリアが空いていることをＬＢＴ方式が示す場合、ステップ１４４０において、ＬＴＥ−Ｕ  ＵＥ１０２が、サブフレーム＃ＳＦ＋４中にＬＴＥ−Ｕ  ＳＣｅｌｌキャリアのＰＵＳＣＨにおいて伝送し得る。いくつかの実装では、ＬＴＥ−Ｕ  ＵＥ１０２は、２つ以上のサブフレームのためにＰＵＳＣＨにおいて伝送するようにＬＴＥ  ＴＴＩバンドリングを使用し得る。
【００６５】
図１５は、ＵＬ伝送のためのＵＥによるチャネルクリアリング方法を図示する例示的データフロー図１５００である。図示される実施例では、ｅＮＢ１０４は、ＬＴＥ  ＰＣｅｌｌキャリアおよびＬＴＥ−Ｕ  ＳＣｅｌｌキャリアの両方の上でＬＴＥ−Ｕ  ＵＥ１  １５０２およびＬＴＥ−Ｕ  ＵＥ２  １５０８と通信する。ＬＴＥ−Ｕ  ＵＥ１  １５０２およびＬＴＥ−Ｕ  ＵＥ２  １５０８はまた、ＬＴＥ−Ｕ  ＳＣｅｌｌキャリア上でＲＴＳ／ＣＴＳを８０２．１１デバイス１０６に送信する。ステップ１５１０では、ＬＴＥ−Ｕ  ＵＥ１  １５０２は、ＵＬ伝送を要求するためのスケジューリング要求（ＳＲ）をｅＮＢ１０４に送信する。ステップ１５２０では、ｅＮＢ１０４は、ＬＴＥ−Ｕ  ＳＣｅｌｌキャリア上のＵＬリソースの組をＬＴＥ−Ｕ  ＵＥ１  １５０２に、ＬＴＥ−Ｕ  ＳＣｅｌｌキャリア上のＵＬリソースの異なる組をＬＴＥ−Ｕ  ＵＥ２  １５０８に供与することを決定する。ステップ１５３０では、ｅＮＢ１０４は、ＵＬグラント−１をＬＴＥ−Ｕ  ＵＥ１  １５０２に、ＵＬグラント−２をＬＴＥ−Ｕ  ＵＥ２  １５０４に伝送する。ｅＮＢ１０４は、ＬＴＥ  ＰＣｅｌｌキャリア上で両方のＵＬグラントを伝送し得る。図示される実施例では、ｅＮＢ１０４は、サブフレーム＃ＳＦ＋４においてＵＬリソースを供与するために、サブフレーム＃ＳＦにおいて両方のＵＬグラントを伝送する。
【００６６】
ステップ１５４０では、ＬＴＥ−Ｕ  ＵＥ１  １５０２およびＬＴＥ−Ｕ  ＵＥ２  １５０８は両方とも、８０２．１１デバイス１０６を含む、ＬＴＥ−Ｕ  ＳＣｅｌｌキャリア内で動作する他のデバイスにＲＴＳメッセージまたはＣＴＳメッセージを伝送する。ＲＴＳまたはＣＴＳメッセージが、スケジュールに入れられたサブフレームから他のデバイス（例えば、Ｗｉ−Ｆｉデバイスおよび／または他のｅＮＢ）を空いた状態にするために使用されるので、２つ以上のＵＥによってＲＴＳまたはＣＴＳメッセージをブロードキャストすることは、他のデバイスがメッセージを受信し、伝送することを控え得る可能性を増加させ得る。いくつかの実装では、ＬＴＥ−Ｕ  ＵＥ１  １５０２および／またはＬＴＥ−Ｕ  ＵＥ２  １５０８は、実際のＵＬ伝送に近い時間にＲＴＳもしくはＣＴＳメッセージを伝送し得る。いくつかの実装では、ＲＴＳまたはＣＴＳメッセージは、疑似ＭＡＣアドレスに、もしくはＲＴＳまたはＣＴＳメッセージを伝送するＵＥに関連付けられるＭＡＣアドレスにアドレス指定され得る。ステップ１５６０では、ＬＴＥ−Ｕ  ＵＥ１  １５０２およびＬＴＥ−Ｕ  ＵＥ２  １５０８は両方とも、それらのそれぞれのＵＬグラントで割り当てられたＵＬリソースを使用して、サブフレーム＃ＳＦ＋４においてＵＬを伝送する。
【００６７】
図１６は、ＵＬ伝送のためのＵＥおよびｅＮＢの両方によるチャネルクリアリング方法を図示する例示的データフロー図１６００である。図示される実施例では、ｅＮＢ１０４は、ＬＴＥ  ＰＣｅｌｌキャリアおよびＬＴＥ−Ｕ  ＳＣｅｌｌキャリアの両方の上でＬＴＥ−Ｕ  ＵＥ１  １５０２およびＬＴＥ−Ｕ  ＵＥ２  １５０８と通信する。ＬＴＥ−Ｕ  ＵＥ１  １５０２、ＬＴＥ−Ｕ  ＵＥ２  １５０８、およびｅＮＢ１０４はまた、ＬＴＥ−Ｕ  ＳＣｅｌｌキャリア上でＲＴＳ／ＣＴＳを８０２．１１デバイス１０６に送信する。ステップ１６１０では、ＬＴＥ−Ｕ１  ＵＥ１０２は、ＵＬ伝送を要求するためのスケジューリング要求（ＳＲ）をｅＮＢ１０４に送信する。ステップ１６２０では、ｅＮＢ１０４は、ＬＴＥ−Ｕ  ＳＣｅｌｌキャリア上のＵＬリソースの組をＬＴＥ−Ｕ  ＵＥ１  １５０２に、ＬＴＥ−Ｕ  ＳＣｅｌｌキャリア上のＵＬリソースの異なる組をＬＴＥ−Ｕ  ＵＥ２  １５０８に供与することを決定する。ステップ１６３０では、ｅＮＢ１０４は、ＵＬグラント−１をＬＴＥ−Ｕ  ＵＥ１  １５０２に、ＵＬグラント−２をＬＴＥ−Ｕ  ＵＥ２  １５０４に伝送する。ｅＮＢ１０４は、ＬＴＥ  ＰＣｅｌｌキャリア上で両方のＵＬグラントを伝送し得る。図示される実施例では、ｅＮＢ１０４は、サブフレーム＃ＳＦ＋４においてＵＬリソースを供与するために、サブフレーム＃ＳＦにおいて両方のＵＬグラントを伝送する。
【００６８】
ステップ１６４０では、ｅＮＢ１０４は、８０２．１１デバイス１０６を含む、ＬＴＥ−Ｕ  ＳＣｅｌｌキャリア内で動作する他のデバイスにＲＴＳまたはＣＴＳメッセージを伝送する。ステップ１６４２では、ＬＴＥ−Ｕ  ＵＥ１  １５０２およびＬＴＥ−Ｕ  ＵＥ２  １５０８は両方とも、８０２．１１デバイス１０６を含む、ＬＴＥ−Ｕ  ＳＣｅｌｌキャリア内で動作する他のデバイスにＲＴＳメッセージまたはＣＴＳメッセージを伝送する。ｅＮＢおよびＵＥの両方によってＣＴＳまたはＲＴＳメッセージを伝送することは、チャネルクリアリング方法の対象範囲を増進する。例えば、このアプローチは、ｅＮＢまたはＵＥのいずれか一方の付近のデバイスのためのチャネルを空いた状態にすることに役立ち得る。ステップ１６６０では、ＬＴＥ−Ｕ  ＵＥ１  １５０２およびＬＴＥ−Ｕ  ＵＥ２  １５０８は両方とも、それらのそれぞれのＵＬグラントで割り当てられたＵＬリソースを使用して、サブフレーム＃ＳＦ＋４においてＵＬを伝送する。以下は、上で説明されるチャネルクリアリング方法をサポートし得る、３ＧＰＰ  ＴＳ  ３６．２１３仕様の例示的部分である。
【００６９】
８．０  物理アップリンク共有チャネルを伝送するためのＵＥプロシージャ
この項内の「ＵＬ／ＤＬ構成」という用語は、別様に規定されない限り、上位層パラメータｓｕｂｆｒａｍｅＡｓｓｉｇｎｍｅｎｔを指す。
【００７０】
ＦＤＤおよび通常のＨＡＲＱ動作に対して、ＵＥは、ＤＣＩ形式０／４を用いたＰＤＣＣＨ／ＥＰＤＣＣＨの所与のサービングセルの検出時、および／またはＵＥのために意図されたサブフレームｎ内のＰＨＩＣＨ伝送の検出時、ＰＤＣＣＨ／ＥＰＤＣＣＨおよびＰＨＩＣＨ情報に従って、サブフレームｎ＋４内の対応するＰＵＳＣＨ伝送を調節するものとする。ＰＤＣＣＨ／ＥＰＤＣＣＨが免許不要キャリア上のクロスキャリアスケジュールサブフレームを指す場合、ＵＥは、キャリアの可用性を監視し、このキャリアがＰＵＳＣＨ符号語の伝送のために利用可能であることを確実にするために、キャリア上のスケジュールに入れられたＰＵＳＣＨサブフレームの発生に先立って、ＣＴＳメッセージを伝送するものとする。ＣＴＳの伝送のタイミングは、ｅＮＢ実装に委ねられるが、これは、ＰＵＳＣＨ伝送に近い時間に伝送されるべきであり、ＣＴＳフレーム内の示された持続時間は、ＰＤＣＣＨ／ＥＰＤＣＣＨ  ＤＣＩ形式０／４によって示されるようなスケジュールに入れられたＰＵＳＣＨ伝送の期間を覆うべきである。
【００７１】
図１７は、半静的グラントに基づく、ＵＬ伝送のためのＵＥによるチャネル査定方法を図示する例示的データフロー図１７００である。図示される実施例では、ｅＮＢ１０４は、ＬＴＥ  ＰＣｅｌｌキャリアおよびＬＴＥ−Ｕ  ＳＣｅｌｌキャリアの両方の上でＬＴＥ−Ｕ  ＵＥ１０２と通信する。ステップ１７１０では、ｅＮＢ１０４は、半静的ＵＬグラントを伝送する。半静的ＵＬグラントは、１つ以上の所定のサブフレーム中のＬＴＥ−Ｕ  ＳＣｅｌｌキャリアのＵＬ上で伝送する許可を供与し得る。ｅＮＢ１０４はまた、衝突を最小限にするように、所定のサブフレームにおいて異なるＵＥのための半静的周波数ドメインリソース（リソースブロック）を事前構成し得る。ステップ１７２０では、ＵＥは、第１の所定のサブフレームにおいてＵＬパケットを伝送することを決定し得る。伝送する前に、ＬＴＥ−Ｕ  ＵＥ１０２は、ＬＴＥ−Ｕ  ＳＣｅｌｌキャリアがビジーであるかどうかを決定するために、ＬＢＴ方式に基づくＣＣＡを行い得る。ステップ１７３０では、ＬＴＥ−Ｕ  ＳＣｅｌｌキャリアが空いている場合、ＬＴＥ−Ｕ  ＵＥ１０２は、ＬＴＥ−Ｕ  ＳＣｅｌｌキャリアのＰＵＳＣＨにおいて伝送する。いくつかの実装では、ＬＴＥ−Ｕ  ＵＥ１０２は、伝送されたサブフレームにＵＥ識別子（例えば、そのＣＲＮＴＩ）を含み得る。例えば、ＰＵＳＣＨデータフレームは、ＣＲＮＴＩ  ＭＡＣ  ＣＥを含み得る。ＬＴＥ−Ｕ  ＳＣｅｌｌキャリアがビジーである場合、ＬＴＥ−Ｕ  ＵＥ１０２は、第１の所定のサブフレームにおいて伝送することを控え得る。代替として、または組み合わせて、ＬＴＥ−Ｕ  ＵＥ１０２は、第１の所定のサブフレーム上で伝送する前にチャネルを空いた状態にするために、ＣＴＳまたはＲＴＳメッセージを伝送し得る。
【００７２】
ステップ１７４０では、ＬＴＥ−Ｕ  ＵＥ１０２は、第２の所定のサブフレームにおいて別のＵＬパケットを伝送することを決定し得る。伝送する前に、ＬＴＥ−Ｕ  ＵＥ１０２は、ＬＴＥ−Ｕ  ＳＣｅｌｌキャリアがビジーであるかどうかを決定するために、ＬＢＴ方式に基づくＣＣＡを行い得る。ステップ１７５０では、ＬＴＥ−Ｕ  ＳＣｅｌｌキャリアが空いている場合、ＬＴＥ−Ｕ  ＵＥ１０２は、ＬＴＥ−Ｕ  ＳＣｅｌｌキャリアのＰＵＳＣＨにおいて伝送する。ＬＴＥ−Ｕ  ＳＣｅｌｌキャリアがビジーである場合、ＬＴＥ−Ｕ  ＵＥ１０２は、第２の所定のサブフレームにおいて伝送することを控え得る。代替として、または組み合わせて、ＬＴＥ−Ｕ  ＵＥ１０２は、第２の所定のサブフレーム上で伝送する前にチャネルを空いた状態にするために、ＣＴＳまたはＲＴＳメッセージを伝送し得る。上で説明される半静的グラントを使用して、ＬＴＥ−Ｕ  ＳＣｅｌｌキャリア上の伝送をスケジュールに入れることは、１つ以上の利益を有し得る。例えば、このアプローチは、リソース要求およびグラントのオーバーヘッドを低減させ得る。このアプローチはまた、待ち時間を短縮し、遅延感受性サービスのための性能を増大させ得、これは、関連データトラフィックのＱＣＩによって示され得る。
【００７３】
いくつかの実装では、ＲＲＣ情報要素（ＩＥ）が、上で説明されるような半静的伝送を構成するために使用され得る。ＲＲＣ  ＩＥは、ｅＮＢ１０４からＬＴＥ−Ｕ  ＵＥ１０２に伝送されるＲＲＣ接続再構成メッセージに含まれ得る。以下は、ＩＥの構造およびコンテンツの実施例を提供し得る、ｌｔｅｕＳＣｅｌｌＵｌＣｏｎｆｉｇというＩＥの定義である。
【００７４】
【表６】
0006672273.tif 000007
【００７５】
【表７】
0006672273.tif 000008
【００７６】
図１８は、ＵＥによるチャネル査定方法を図示するフローチャート１８００である。フローチャート１８００は、ＵＥが、ｅＮＢから、１つ以上のサブフレーム中のＬＴＥ−Ｕ  ＳＣｅｌｌキャリア上のＰＵＳＣＨ伝送のための許可を示すＵＬグラントを受信するステップ１８１０から始まる。いくつかの実装では、ＵＬグラントは、物理ダウンリンク制御チャネル（ＰＤＣＣＨ）上で受信され得る。いくつかの実装では、ＵＬグラントは、ロングタームエボリューション（ＬＴＥ）一次セル（ＰＣｅｌｌ）キャリア上で受信される。いくつかの実装では、ＵＬグラントは、ＲＲＣメッセージを使用して構成される半静的ＵＬグラントである。いくつかの実装では、ステップ１８２０では、ＵＥは、ＬＴＥ−Ｕ  ＳＣｅｌｌキャリア上でＣＴＳメッセージまたはＲＴＳメッセージのうちの少なくとも１つを伝送し、ＣＴＳメッセージまたはＲＴＳメッセージのうちの少なくとも１つは、持続時間フィールドを含み、持続時間フィールドは、伝送時間を示す。
【００７７】
ステップ１８３０では、ＵＥは、ＬＴＥ−Ｕ  ＳＣｅｌｌキャリア上の信号レベルを測定する。ステップ１８４０では、ＵＥは、ＬＴＥ−Ｕ  ＳＣｅｌｌキャリアが１つ以上のサブフレーム中の伝送のために利用可能であるかどうかを決定する。いくつかの実装では、ＵＥは、測定された信号レベルに基づいて、ＬＴＥ−Ｕ  ＳＣｅｌｌキャリアが伝送のために利用可能であるかどうかを決定する。測定された信号レベルが閾値より高い場合、ステップ１８５０において、ＵＥは、ＬＴＥ−Ｕ  ＳＣｅｌｌキャリアが伝送のために利用可能ではないことを決定し、ＬＴＥ−Ｕ  ＳＣｅｌｌキャリア上で伝送することを控える。測定された信号レベルが閾値より低い場合、ステップ１８５２において、ＵＥは、ＬＴＥ−Ｕ  ＳＣｅｌｌキャリアが伝送のために利用可能であることを決定し、ＬＴＥ−Ｕ  ＳＣｅｌｌキャリア上でＰＵＳＣＨサブフレームを伝送する。いくつかの実装では、測定された信号レベルが閾値と等しい場合、ＬＴＥモジュールは、ＬＴＥ−Ｕ  ＳＣｅｌｌキャリアがビジーであることを決定し得る。代替として、測定された信号レベルが閾値と等しい場合、ＬＴＥモジュールは、ＬＴＥ−Ｕ  ＳＣｅｌｌキャリアが空いていることを決定し得る。いくつかの実装では、ＵＥは、ｅＮＢによる構成に従って、２つ以上のサブフレームを連続的に伝送するとき、ＬＴＥ伝送時間間隔（ＴＴＩ）バンドリングを使用する。
【００７８】
図１９は、例示的ユーザ機器デバイスを図示する概略ブロック図１９００である。図示されるデバイス１９００は、処理ユニット１９０２と、コンピュータ読み取り可能な記憶媒体１９０４（例えば、ＲＯＭまたはフラッシュメモリ）と、無線通信サブシステム１９０６と、ユーザインターフェース１９０８と、Ｉ／Ｏインターフェース１９１０とを含む。
【００７９】
処理ユニット１９０２は、本明細書に開示される実装のうちの１つ以上のものと関連して上で説明されるプロセス、ステップ、もしくは動作のうちの１つ以上のものに関係付けられる命令を実行するように構成される１つ以上の処理構成要素（代替として、「プロセッサ」または「中央処理装置」（ＣＰＵ）と称される）を含むことができる。いくつかの実装では、処理モジュール１９０２は、測定レポート等の制御情報を生成し、またはネットワークノードからの制御情報等の受信された情報に応答するように構成され得る。処理モジュール１９０２はまた、セル選択／再選択情報または測定レポートのトリガ等のＲＲＭ決定を行うように構成され得る。処理ユニット１９０２はまた、ランダムアクセスメモリ（ＲＡＭ）および読み取り専用メモリ（ＲＯＭ）等の他の補助構成要素を含むこともできる。コンピュータ読み取り可能な記憶媒体１９０４は、デバイス１９００のオペレーティングシステム（ＯＳ）、および上で説明されるプロセス、ステップ、もしくは動作のうちの１つ以上のものを行うための種々の他のコンピュータ実行可能ソフトウェアプログラムを記憶することができる。
【００８０】
無線通信サブシステム１９０６は、処理ユニット１９０２によって提供されるデータおよび／または制御情報のための無線通信を提供するように構成され得る。無線通信サブシステム１９０６は、例えば、１つ以上のアンテナ、受信機、伝送機、局所発振器、ミキサ、およびデジタル信号処理（ＤＳＰ）ユニットを含むことができる。いくつかの実装では、サブシステム１９０６は、多重入出力（ＭＩＭＯ）伝送をサポートすることができる。いくつかの実装では、無線通信サブシステム１９０６内の受信機は、アドバンス受信機または基準受信機であり得る。２つの受信機は、同一、類似、または異なる受信機処理アルゴリズムで実装されることができる。
【００８１】
ユーザインターフェース１９０８は、例えば、スクリーンもしくはタッチスクリーン（例えば、液晶ディスプレイ（ＬＣＤ）、発光ディスプレイ（ＬＥＤ）、有機発光ディスプレイ（ＯＬＥＤ）、微小電気機械システム（ＭＥＭＳ）ディスプレイ）、キーボードもしくはキーパッド、トラックボール、スピーカ、およびマイクロホンのうちの１つ以上のものを含むことができる。Ｉ／Ｏインターフェース１９１０は、例えば、ユニバーサルシリアルバス（ＵＳＢ）インターフェースを含むことができる。種々の他の構成要素も、デバイス１９００に含まれることができる。
【００８２】
図２０は、例示的基地局を図示する概略ブロック図２０００である。図示されるデバイス２０００は、処理モジュール２００２と、有線通信サブシステム２００４と、無線通信サブシステム２００６とを含む。無線通信サブシステム２００６は、ＵＥからデータトラフィックおよび制御トラフィックを受信することができる。いくつかの実装では、無線通信サブシステム２００６は、受信機と、伝送機とを含み得る。有線通信サブシステム２００４は、バックホール接続を介して、他のアクセスノードデバイスの間で制御情報を伝送および受信するように構成されることができる。処理モジュール２００２は、本明細書に開示される実装のうちの１つ以上のものと関連して上で説明されるプロセス、ステップ、もしくは動作のうちの１つ以上のものに関係付けられる命令を実行することが可能である、１つ以上の処理構成要素（代替として、「プロセッサ」または「中央処理装置」（ＣＰＵ）と称される）を含むことができる。処理モジュール２００２はまた、ランダムアクセスメモリ（ＲＡＭ）、読み取り専用メモリ（ＲＯＭ）、二次記憶装置（例えば、ハードディスクまたはフラッシュメモリ）等の他の補助構成要素を含むこともできる。処理モジュール２００２は、図２に関連して上で説明される層の少なくとも一部を形成することができる。いくつかの実装では、処理モジュール２００２は、制御情報を生成し、またはＵＥから伝送される測定レポート等の受信された情報に応答するように構成され得る。処理モジュール２００２はまた、少なくとも部分的にセル選択／再選択情報または測定レポート等のＵＥから伝送される情報に基づいて、ＲＲＭ決定を行うように構成され得る。処理ユニット２００２はまた、有線通信サブシステム２００４または無線通信サブシステム２００６を使用して、無線もしくは有線通信を提供するように、ある命令およびコメントを実行することができる。種々の他の構成要素も、デバイス２０００に含まれることができる。
【００８３】
本発明のいくつかの実施形態が説明されている。それでもなお、本発明の精神および範囲から逸脱することなく、種々の修正が行われ得ることが理解されるであろう。したがって、本実施形態は、以下の請求項の範囲内である。
【００８４】
同様に、動作が特定の順序で図面に描写されているが、これは、そのような動作が、示される特定の順序で、または連続的順序に行われること、もしくは望ましい結果を達成するように全ての図示される動作が行われることを要求するものとして理解されるべきではない。ある状況では、マルチタスクおよび並列処理が有利であり得る。上で説明される実装における種々のシステム構成要素の分離は、全ての実装においてそのような分離を要求するものとして理解されるべきではなく、説明されるプログラム構成要素およびシステムが、概して、信号ソフトウェア製品にともに組み込まれ、または複数のソフトウェア製品にパッケージ化され得ることも理解されたい。
【００８５】
さらに、個別または別個として種々の実装で説明および図示される技法、システム、サブシステム、ならびに方法は、本開示の範囲から逸脱することなく、他のシステム、モジュール、技法、または方法と組み合わせられ、もしくは統合され得る。互いに連結されるか、または直接連結されるかもしくは通信するものとして示される、または議論される他のアイテムは、電気的、機械的、もしくは別様であるかどうかにかかわらず、あるインターフェース、デバイス、または中間構成要素を通して、間接的に連結され、もしくは通信し得る。変更、置換、および改変の他の実施例が、当業者によって解明可能であり、本明細書に開示される精神および範囲から逸脱することなく、行われ得る。
【００８６】
上記の詳細な説明は、種々の実装に適用されるような本開示の基本的な新規の特徴を示し、説明し、指摘しているが、本開示の意図から逸脱することなく、図示されるシステムの形態および詳細の種々の省略、置換、および変更が当業者によって行われ得ることが理解されるであろう。加えて、方法ステップの順序は、それらが請求項の中で出現する順序によって示唆されない。
【図１】
0006672273.tif 000009
【図２】
0006672273.tif 000010
【図３】
0006672273.tif 000011
【図４】
0006672273.tif 000012
【図５】
0006672273.tif 000013
【図６】
0006672273.tif 000014
【図７】
0006672273.tif 000015
【図８】
0006672273.tif 000016
【図９】
0006672273.tif 000017
【図１０】
0006672273.tif 000018
【図１１】
0006672273.tif 000019
【図１２】
0006672273.tif 000020
【図１３】
0006672273.tif 000021
【図１４】
0006672273.tif 000022
【図１５】
0006672273.tif 000023
【図１６】
0006672273.tif 000024
【図１７】
0006672273.tif 000025
【図１８】
0006672273.tif 000026
【図１９】
0006672273.tif 000027
【図２０】
0006672273.tif 000028